(57)【要約】  ＭＲＢＴサービスおよびＭＣＩＤサービスを実施するための方法およびシステムが開示される。前記方法は、発呼側ＵＥがＭＣＩＤサービス加入者であると判定するとともに着呼側ＵＥがＭＣＩＤアーリーメディアをサポートすると判定したならば、ＭＣＩＤアーリーメディアと前記着呼側ＵＥとをネゴシエーションし、ＭＣＩＤを前記着呼側ＵＥに再生する。着呼側ＵＥがＭＲＢＴサービス加入者であるとともに発呼側ＵＥが前記ＭＲＢＴアーリーメディアをサポートすると判定したならば、ＭＲＢＴアーリーメディアと前記発呼側ＵＥとをネゴシエーションし、ＭＲＢＴを前記発呼側ＵＥに再生する。本発明は、前記ＩＭＳにおいてマルチメディアサービスを使用し、よりよいエクスペリエンスを得るために、ＩＰマルチメディアサブシステム（ＩＭＳ）におけるＭＲＢＴサービスおよびＭＣＩＤサービスを可能にする。
2010521110.tif 000002
【特許請求の範囲】
【請求項１】
マルチメディアリングバックトーン（ＭＲＢＴ）サービスを実施するための方法であって、
発呼側ユーザ装置（ＵＥ）からコールリクエストを受信するステップと、
着呼側ＵＥ識別子に従って、着呼側ＵＥがＭＲＢＴサービス加入者であると判定するステップと、
前記発呼側ＵＥのアーリーセッション機能識別子および高信頼性応答機能識別子に従って、前記発呼側ＵＥがＭＲＢＴアーリーメディアをサポートすると判定するステップと、
前記ＭＲＢＴアーリーメディアと前記発呼側ＵＥとのネゴシエーションをするステップと、
前記ネゴシエーションが成功後、ＭＲＢＴを前記発呼側ＵＥに再生するステップと、を具備し、
前記コールリクエストは、前記着呼側ＵＥ識別子ならびに前記発呼側ＵＥのアーリーセッションサポート機能識別子および高信頼性応答機能識別子を搬送することを特徴とするマルチメディアリングバックトーンサービスを実施するための方法。
【請求項２】
前記着呼側ＵＥがＭＲＢＴサービス加入者であると判定するステップの処理は、
前記ＵＥ識別子と前記ＭＲＢＴサービスとの加入関係に従って、対応するＭＲＢＴサービスへの加入を、着呼側ＵＥ識別子が示しているかどうかを判別するステップと、
もし、前記着呼側ＵＥ識別子が、対応するＭＲＢＴサービスへの加入を示しているならば、着呼側ＵＥがＭＲＢＴサービス加入者であると判定するステップと、
を具備することを特徴とする請求項１に記載の方法。
【請求項３】
ＭＲＢＴアーリーメディアと前記発呼側ＵＥとのネゴシエーションするステップの処理は、
ＭＲＢＴアーリーメディアリクエストを前記発呼側ＵＥに送信するステップと、
前記発呼側ＵＥにより、前記ＭＲＢＴアーリーメディアとネゴシエーションするステップと、
もし、前記ネゴシエーションが成功したならば、ＭＲＢＴアーリーメディアアンサー（ＭＲＢＴ_Ａｎｓｗｅｒ）を返信するステップと、
を具備することを特徴とする請求項１に記載の方法。
【請求項４】
ＭＲＢＴアプリケーションサーバ（ＭＲＢＴ ＡＳ）は、インバイトメッセージをＭＲＢＴマルチメディアリソースサーバ（ＭＲＢＴ ＭＲＳ）に、ＩＰマルチメディアサブシステム（ＩＭＳ）コアネットワークを介して送信し、
前記ＭＲＢＴ ＭＲＳは、前記ＭＲＢＴアーリーメディアリクエストを前記ＭＲＢＴ ＡＳに、前記ＩＭＳコアネットワークを介して送信することを特徴とする請求項１から３のいずれか１項に記載の方法。
【請求項５】
前記ネゴシエーションの成功後、ＭＲＢＴを前記発呼側ＵＥに再生する前に、前記方法は、
前記発呼側ＵＥにＭＲＢＴを再生するように、前記ＭＲＢＴ ＡＳにより、前記ＭＲＢＴ ＭＲＳに指示するノーティフィケーションシグナルを前記ＭＲＢＴ ＭＲＳに送信するステップを具備することを特徴とする請求項４に記載の方法。
【請求項６】
マルチメディアリングバックトーン（ＭＲＢＴ）サービスを実施するための装置であって、
発呼側ユーザ装置（ＵＥ）からコールリクエストを受信するように構成されているＭＲＢＴコール受信ユニットと、
着呼側ＵＥ識別子に従って、着呼側ＵＥがＭＲＢＴサービス加入者であると判定し、前記発呼側ＵＥの前記アーリーセッション機能識別子および高信頼性応答機能識別子に従って、発呼側ＵＥがＭＲＢＴアーリーメディアをサポートすると判定し、前記ＭＲＢＴアーリーメディアと前記発呼側ＵＥとをネゴシエーションし、ネゴシエーションが成功後、ＭＲＢＴの再生を通知するノーティフィケーションシグナルを送信するように構成されているＭＲＢＴネゴシエーションユニットと、を具備し、
前記コールリクエストは、前記着呼側ＵＥ識別子ならびに前記発呼側ＵＥのアーリーセッションサポート（Ｅａｒｌｙ−Ｓｅｓｓｉｏｎ）機能識別子および高信頼性応答機能識別子を搬送することを特徴とするマルチメディアリングバックトーンサービスを実施するための装置。
【請求項７】
前記ノーティフィケーションシグナル受信するとともにＭＲＢＴを発呼側ＵＥに再生するように構成されているＭＲＢＴ再生ユニットをさらに具備することを特徴とする請求項６に記載の機器。
【請求項８】
前記ＭＲＢＴネゴシエーションユニットは、
前記ＵＥ識別子と前記ＭＲＢＴサービスとの間の対応する加入関係に従って、前記着呼側ＵＥ識別子が対応するＭＲＢＴサービスへの加入を示しているかどうかを判別し、もし前記着呼側ＵＥ識別子が、対応するＭＲＢＴサービスへの加入を示している場合には、前記着呼側ＵＥは、ＭＲＢＴサービス加入者であると判定するように構成されているＭＲＢＴ加入者判定ユニットと、
前記発呼側ＵＥのアーリーセッション機能識別子および高信頼性応答機能識別子に従って、前記発呼側ＵＥがＭＲＢＴアーリーメディアをサポートすると判定するように構成されているＭＲＢＴサービス判定ユニットと、
前記ＭＲＢＴアーリーメディアと前記発呼側ＵＥとのネゴシエーションをするように構成されているＭＲＢＴオペレーティングユニットと、
を具備することを特徴とする請求項６または請求項７に記載の機器。
【請求項９】
前記ＭＲＢＴオペレーティングユニットは、
ＭＲＢＴアーリーメディアリクエストを前記発呼側ＵＥに送信するように構成されている第１送信ユニットと、
前記発呼側ＵＥにより送信されたＭＲＢＴアーリーメディアアンサー（ＭＲＢＴ Ａｎｓｗｅｒ）を受信するように構成されている第１受信ユニットと、
を具備することを特徴とする請求項８に記載の機器。
【請求項１０】
マルチメディアコーラーアイデンティフィケーション（ＭＣＩＤ）サービスを実施するための方法であって、
発呼側ユーザ装置（ＵＥ）からのコールリクエストを受信するステップと、
発呼側ＵＥ識別子に従って、前記発呼側ＵＥがＭＣＩＤサービス加入者であると判定するステップと、
前記着呼側ＵＥ識別子に従って、着呼側ＵＥがＭＣＩＤアーリーメディアをサポートすると判定するステップと、
前記ＭＣＩＤアーリーメディアと着呼側ＵＥとをネゴシエーションするステップと、
ネゴシエーションの成功後、ＭＣＩＤを前記着呼側ＵＥに再生するステップと、
を具備し、
前記コールリクエストは、前記発呼側ＵＥ識別子および前記着呼側ＵＥ識別子を搬送することを特徴とするマルチメディアコーラーアイデンティフィケーション（ＭＣＩＤ）サービスを実施するための方法。
【請求項１１】
前記発呼側ＵＥがＭＣＩＤサービス加入者であると判定するステップの処理は、
前記ＵＥ識別子と前記ＭＣＩＤサービスとの間の対応する加入関係に従って、前記発呼側ＵＥ識別子が対応するＭＣＩＤサービスへの加入を示しているかどうかを判別するステップと、
もし前記発呼側ＵＥ識別子が、対応するＭＣＩＤサービスへの加入を示しているならば、発呼側ＵＥがＭＣＩＤサービス加入者であると判定するステップと、
を具備することを特徴とする請求項１０に記載の方法。
【請求項１２】
前記コールリクエストは、ノーマルメディアリクエストを搬送し、前記着呼側ＵＥ識別子に従って、前記着呼側ＵＥは前記ＭＣＩＤアーリーメディアをサポートすると判定するステップの処理は、
前記コールリクエストを前記着呼側ＵＥに送信するステップと、
アーリーメディアサービス機能のサポートを要求する識別子を前記コールリクエストに追加するステップと、
もし、前記着呼側ＵＥが前記アーリーメディアサービス機能をサポートしているならば、前記着呼側ＵＥにより、前記ノーマルメディアリクエストに従ってノーマルメディアをネゴシエーションするステップと、
ネゴシエーション結果を通常の暫定アンサーメッセージを介してネットワークに返信するステップと、
前記通常の暫定アンサーメッセージを受信後、前記着呼側ＵＥは前記ＭＣＩＤアーリーメディアをサポートすると判定するステップと、
を具備することを特徴とする請求項１０に記載の方法。
【請求項１３】
前記ＭＣＩＤアーリーメディアと前記着呼側ＵＥとのネゴシエーションをするステップの処理は、
前記ＭＣＩＤアーリーメディアリクエストを前記着呼側ＵＥに送信するステップと、
前記着呼側ＵＥにより、それ自身の機能に従って前記ＭＣＩＤアーリーメディアをネゴシエーションするステップと、
もし前記ネゴシエーションが成功したならば、ＭＣＩＤアーリーメディアアンサー（ＭＣＩＤ Ａｎｓｗｅｒ）を返信するステップと、
を具備することを特徴とする請求項１０から１２のいずれか１項に記載の方法。
【請求項１４】
着呼側ＵＥが前記ＭＣＩＤアーリーメディアとネゴシエーションする前に、前記方法は、
ＭＣＩＤアプリケーションサーバ（ＭＣＩＤ ＡＳ）により、インバイトメッセージを、ＭＣＩＤマルチメディアリソースサーバ（ＭＣＩＤ ＭＲＳ）に、ＩＰマルチメディアサブシステム（ＩＭＳ）コアネットワークを介して送信するステップと、
前記ＭＣＩＤ ＭＲＳにより前記ＭＣＩＤアーリーメディアリクエストを、前記ＭＣＩＤ ＡＳに、前記ＩＭＳコアネットワークを介して送信するステップと、
を具備することを特徴とする請求項１３に記載の方法。
【請求項１５】
ネゴシエーションの成功後、前記ＭＣＩＤを前記着呼側ＵＥに再生する前に、前記方法は、
前記ＭＣＩＤ ＡＳにより、前記ＭＣＩＤ ＭＲＳに前記ＭＣＩＤを前記着呼側ＵＥに再生するように指示するノーティフィケーションシグナルを前記ＭＣＩＤ ＭＲＳに送信するステップを具備することを特徴とする請求項１４に記載の方法。
【請求項１６】
前記コールリクエストは、前記発呼側ＵＥのアーリーセッションサポート（Ｅａｒｌｙ−Ｓｅｓｓｉｏｎ）機能識別子および高信頼性応答機能識別子をさらに具備し、
前記方法は、
前記着呼側ＵＥ識別子に従って前記着呼側ＵＥがＭＲＢＴサービス加入者であると判定するステップと、
前記発呼側ＵＥの前記アーリーセッション機能識別子および高信頼性応答機能識別子に従って、前記発呼側ＵＥがＭＲＢＴアーリーメディアをサポートすると判定するステップと、
前記ＭＲＢＴアーリーメディアと前記発呼側ＵＥとをネゴシエーションするステップと、
ネゴシエーションの成功後、ＭＲＢＴを前記発呼側ＵＥに再生するステップと、
を具備することを特徴とする請求項１５に記載の方法。
【請求項１７】
前記着呼側ＵＥがＭＲＢＴサービス加入者であると判定するステップの処理は、
前記ＵＥ識別子と前記ＭＲＢＴサービスの間の対応する加入関係に従って、着呼側ＵＥが対応するＭＲＢＴサービスに加入済みであるかどうか判別するステップと
もし前記着呼側ＵＥが対応するＭＲＢＴサービスに加入済みであるならば、前記着呼側ＵＥがＭＲＢＴサービス加入者であると判定するステップと、
を具備することを特徴とする請求項１６に記載の方法。
【請求項１８】
ＭＲＢＴアーリーメディアと発呼側ＵＥとのネゴシエーションするステップの処理は、
ＭＲＢＴアーリーメディアリクエストを前記発呼側ＵＥに送信するステップと、
前記発呼側ＵＥにより、それ自身の機能に従って前記ＭＲＢＴアーリーメディアとネゴシエーションするステップと、
もしネゴシエーションが成功したならば、ＭＲＢＴアーリーメディアアンサー（ＭＲＢＴ Ａｎｓｗｅｒ）を返信するステップと、
を具備することを特徴とする請求項１６に記載の方法。
【請求項１９】
マルチメディアコーラーアイデンティフィケーション（ＭＣＩＤ）サービスを実施するための装置であって、
発呼側ユーザ装置からのコールリクエストを受信するように構成されている受信ユニットと、
発呼側ＵＥ識別子に従って、前記発呼側ＵＥがＭＣＩＤサービス加入者であると判定し、前記着呼側ＵＥ識別子に従って、着呼側ＵＥがＭＣＩＤアーリーメディアをサポートすると判定し、前記ＭＣＩＤアーリーメディアと前記着呼側ＵＥとをネゴシエーションし、ネゴシエーションの成功後、ＭＣＩＤの再生を通知するために第１ノーティフィケーションシグナルを再生するように構成されている第１ネゴシエーションユニットと、
を具備し、
前記コールリクエストは、前記発呼側ＵＥ識別子および前記着呼側ＵＥ識別子を搬送することを特徴とするマルチメディアコーラーアイデンティフィケーションサービスを実施するための装置。
【請求項２０】
前記第１ノーティフィケーションシグナルを受信し、前記ＭＣＩＤを前記着呼側ＵＥに再生するように構成されている第１再生ユニットをさらに具備することを特徴とする請求項１９に記載の機器。
【請求項２１】
前記着呼側ＵＥ識別子に従って、前記着呼側ＵＥがＭＲＢＴサービス加入者であると判定し、前記発呼側ＵＥのアーリーセッションサポート（Ｅａｒｌｙ Ｓｅｓｓｉｏｎ）機能識別子および高信頼性応答機能識別子に従って、前記発呼側ＵＥがＭＲＢＴアーリーメディアをサポートすると判定し、前記ＭＲＢＴアーリーメディアと前記発呼側ＵＥとをネゴシエーションし、ネゴシエーションの成功後、ＭＲＢＴの再生を通知するために、第２ノーティフィケーションシグナルを送信するように構成されている第２ネゴシエーションユニットと、
前記第２ノーティフィケーションシグナルを受信し、前記ＭＲＢＴを前記発呼側ＵＥに再生するように構成されている第２再生ユニットと、
をさらに具備することを特徴とする請求項１９に記載の機器。
【請求項２２】
前記第１ネゴシエーションユニットは、
前記ＵＥ識別子と前記ＭＣＩＤサービスの間の対応する加入関係に従って、前記発呼側ＵＥがＭＣＩＤサービスに加入済みかどうか判別し、もし前記発呼側ＵＥが前記ＭＣＩＤサービスに加入済みならば、前記発呼側ＵＥがＭＣＩＤサービス加入者であると判定するように構成されている第１加入者判定ユニットと、
ノーマルメディアリクエストを搬送するコールリクエストに、アーリーメディアサービス機能のサポートを要求する識別子を追加し、前記コールリクエストを着呼側ＵＥに送信し、前記着呼側ＵＥからアンサーメッセージを受信し、もし着呼側ＵＥが通常の暫定アンサーを返信したならば、前記着呼側ＵＥはＭＣＩＤアーリーメディアをサポートすると判定するように構成されている第１サービス判定ユニットと、
前記ＭＣＩＤアーリーメディアと前記着呼側ＵＥとをネゴシエートするように構成されている第１オペレーティングユニットと、
を具備することを特徴とする請求項１９に記載の機器。
【請求項２３】
前記第１オペレーティングユニットは、
ＭＣＩＤアーリーメディアリクエストを前記着呼側ＵＥに送信するように構成されている第２送信ユニットと、
前記着呼側ＵＥにより送信されたＭＣＩＤアーリーメディアアンサー（ＭＣＩＤ Ａｎｓｗｅｒ）を受信するように構成されている第２受信ユニットと、
を具備することを特徴とする請求項２２に記載の機器。
【請求項２４】
前記第２ネゴシエーションユニットは、
前記ＵＥ識別子と前記ＭＲＢＴサービスとの間の対応する加入関係に従って、前記着呼側ＵＥがＭＲＢＴサービスに加入済みかどうかを判別し、もし前記着呼側ＵＥが前記ＭＲＢＴサービスに加入済みであるならば、前記着呼側ＵＥがＭＲＢＴサービス加入者であると判定するように構成されている第２加入者判定ユニットと、
前記発呼側ＵＥの前記アーリーセッション機能識別子および高信頼性応答機能識別子に従って、発呼側ＵＥが前記ＭＲＢＴアーリーメディアをサポートすると判定するように構成されている第２ＭＲＢＴサービス判定ユニットと、
前記ＭＲＢＴアーリーメディアと前記発呼側ＵＥとをネゴシエーションするように構成されている第２オペレーティングユニットと、
を具備することを特徴とする請求項２１に記載の機器。
【請求項２５】
前記第２オペレーティングユニットは、
ＭＲＢＴアーリーメディアリクエストを前記発呼側ＵＥに送信するように構成されている第３送信ユニットと、
前記発呼側ＵＥにより送信されたＭＲＢＴアーリーメディアアンサー（ＭＲＢＴ＿Ａｎｓｗｅｒ）を受信するように構成されている第３受信ユニットと、
を具備することを特徴とする請求項２４に記載の機器。
【発明の詳細な説明】
【技術分野】
【０００１】
本発明は、通信技術に関する。より詳しくは、マルチメディアリングバックトーン（ＭＲＢＴ）サービスおよびマルチメディアコーラーアイデンティフィケーション（ＭＣＩＤ）サービスに関する。
【背景技術】
【０００２】
移動通信ネットワークの発達とモバイルユーザ装置（ＵＥ）の普及に伴い、モバイルネットワークのオペレータは、基本的な電話サービスとは別の、さらに多彩な付加価値サービスをＵＥに提供する。例えば、カラーリングバックトーン（ＣＲＢＴ)サービスおよびカラーコーラーアイデンティフィケーション（ＣＣＩＤ)サービスが第二世代（２Ｇ）移動通信ネットワークにおいて提供されている。ＣＲＢＴサービスとは、着呼側ＵＥ（２Ｇネットワークにおいては移動局とも呼ばれる)がピアツーピア通話を知らせる場合、発呼側ＵＥは、モバイルネットワークにおける伝統的なリングバックトーンの代わりに、着呼側ＵＥによりプリセットされたオーディオクリップを受信するものである。ＣＣＩＤサービスとは、着呼側ＵＥがピアツーピア通話を知らせる場合、着呼側ＵＥのリングトーンはローカルで格納されていたオーディオクリップではなく、発呼側ＵＥによりプリセットされるとともに移動通信ネットワークから着呼側ＵＥへ送信されたオーディオクリップであるものである。
【０００３】
第三世代（３Ｇ）ネットワークにおいて、前記ＣＲＢＴサービスおよび前記ＣＣＩＤサービスは、それぞれＭＲＢＴサービスおよびＭＣＩＤサービスへと拡張される。ＭＲＢＴサービスとは、着呼側ＵＥがピアツーピア通話を知らせる場合、発呼側ＵＥは着呼側ＵＥによりプリセットされたオーディオおよび／またはビデオクリップを受信するものである。ＭＣＩＤサービスとは、着呼側ＵＥがピアツーピア通話を知らせる場合、着呼側ＵＥのリングトーンはローカルで格納されていたオーディオクリップではなく、発呼側ＵＥによりプリセットされるとともに移動通信ネットワークから着呼側ＵＥへ送信されたオーディオクリップであるものである。ＣＲＢＴサービスおよびＭＲＢＴサービスの双方は、着呼側ＵＥによりプリセットされ、発呼側ＵＥにより受信される。ＣＣＩＤサービスおよびＭＣＩＤサービスの双方は、発呼側ＵＥによりプリセットされ、着呼側ＵＥにより受信される。
【発明の概要】
【発明が解決しようとする課題】
【０００４】
従来技術において、ＭＲＢＴサービスおよびＭＣＩＤサービスを実施するための方法は、回線交換（ＣＳ)システムにおいて適用され、ＩＰマルチメディアサブシステム（ＩＭＳ）へは適用不可能である。これは、ユーザエクスペリエンスを制限してしまう。
【課題を解決するための手段】
【０００５】
本発明の構成によれば、従来技術における欠点、すなわち、ＩＭＳにおいてＭＲＢＴサービスおよびＭＣＩＤサービスが利用できないことによる乏しいユーザエクリペリエンスを克服するＭＲＢＴサービスおよびＭＣＩＤサービスを実施するための方法およびシステムを提供する。
【０００６】
本発明の一実施形態において、ＭＲＢＴサービスを実施するための方法は、
着呼側ＵＥ識別子ならびに発呼側ＵＥのアーリーセッションサポート（Ｅａｒｌｙ−Ｓｅｓｓｉｏｎ）機能識別子および高信頼性応答機能識別子を搬送するコールリクエストを、前記発呼側ＵＥから受信するステップと、
前記着呼側ＵＥ識別子に従って、前記着呼側ＵＥがＭＲＢＴサービス加入者であると判定するステップと、
前記発呼側ＵＥのアーリーセッション機能識別子および高信頼性応答機能識別子にしたがって、前記発呼側ＵＥがＭＲＢＴアーリーメディアをサポートすると判定するステップと、
前記ＭＲＢＴアーリーメディアと前記発呼側ＵＥとをネゴシエーションするステップと、ネゴシエーションの成功後、ＭＲＢＴを前記発呼側ＵＥに再生するステップと、を具備する。
【０００７】
本発明の一実施形態において、ＭＲＢＴサービスを実施するための装置は、
着呼側ＵＥ識別子ならびに発呼側ＵＥのアーリーセッション機能識別子および高信頼性応答機能識別子を搬送するコールリクエストを発呼側ＵＥから受信するように構成されているＭＲＢＴコール受信ユニットと、
前記着呼側ＵＥ識別子に従って、前記着呼側ＵＥがＭＲＢＴサービス加入者であると判定し、前記発呼側ＵＥの前記アーリーセッション機能識別子および高信頼性応答機能識別子に従って、前記発呼側ＵＥが前記ＭＲＢＴアーリーメディアをサポートすると判定し、前記ＭＲＢＴアーリーメディアと前記発呼側ＵＥとのネゴシエーションをし、そしてネゴシエーションの成功後、ＭＲＢＴの再生を通知するために、ノーティフィケーションシグナルを送信するように構成されているＭＲＢＴネゴシエーションユニットと、
を具備する。
【０００８】
本発明の一実施形態において、ＭＣＩＤサービスを実施するための方法は、
発呼側ＵＥ識別子および着呼側ＵＥ識別子を搬送するコールリクエストを発呼側ＵＥから受信するステップと、
前記発呼側ＵＥ識別子に従って、前記発呼側ＵＥがＭＣＩＤサービス加入者であると判定するステップと、
前記着呼側ＵＥ識別子にしたがって、前記着呼側ＵＥがＭＣＩＤアーリーメディアをサポートすると判定するステップと、
前記ＭＣＩＤアーリーメディアと前記着呼側ＵＥとをネゴシエーションするステップと、
ネゴシエーションの成功後、ＭＣＩＤを前記着呼側ＵＥに再生するステップと、
を具備する。
【０００９】
本発明の一実施形態において、ＭＣＩＤサービスを実施するための装置は、
発呼側ＵＥ識別子および着呼側ＵＥ識別子を搬送するコールリクエストを発呼側ＵＥから受信するように構成されている受信ユニットと、
前記発呼側ＵＥ識別子に従って、前記発呼側ＵＥがＭＣＩＤサービス加入者であると判定し、前記着呼側ＵＥが前記着呼側ＵＥ識別子に従って、前記ＭＣＩＤアーリーメディアをサポートすると判定し、前記ＭＣＩＤアーリーメディアと前記着呼側ＵＥとをネゴシエーションし、そしてネゴシエーションが成功後、ＭＣＩＤの再生を通知するために、第１ノーティフィケーションシグナルを再生するように構成されている第１ネゴシエーションユニットと、を具備する。
【００１０】
本発明の実施形態における方法およびシステムを介して、ユーザがＩＭＳにおいてＭＲＢＴサービスおよびＭＣＩＤサービスを適応でき、ＩＭＳにおいてパワフルなマルチメディア機能を得るとともに、よりよいエクスペリエンスを得るように、アーリーメディアに基づくＭＲＢＴサービスおよびＭＣＩＤサービスを実施するための方法が提供される。
【図面の簡単な説明】
【００１１】
【図１】本発明の一実施形態におけるＭＲＢＴサービスを実施するステップのフローチャートを示す図である。
【図２】本発明の一実施形態におけるＭＲＢＴサービスを実施するためのシステム構成を示す図である。
【図３】本発明の一実施形態におけるＭＲＢＴサービスを実施するための装置構成を示す図である。
【図４】本発明の一実施形態におけるＭＣＩＤサービスを実施するステップのフローチャートである。
【図５】本発明の一実施形態におけるＭＣＩＤサービスを実施するためのシステム構成を示す図である。
【図６】本発明の一実施形態におけるＭＣＩＤサービスを実施するための装置構成を示す図である。
【図７】本発明の一実施形態におけるＭＲＢＴサービスおよびＭＣＩＤサービスを実施するステップのフローチャートである。
【図８】本発明の一実施形態におけるＭＲＢＴサービスおよびＭＣＩＤサービスを実施するためのシステム構成を示す図である。
【図９】本発明の一実施形態におけるＭＲＢＴサービスおよびＭＣＩＤサービスを実施するための装置構成を示す図である。
【発明を実施するための形態】
【００１２】
本発明の一実施形態において、アーリーメディアに基づきＭＲＢＴサービスおよびＭＣＩＤサービスを実施するには、もしネットワークが、発呼側ＵＥがＭＣＩＤサービス加入者であると判定するとともに着呼側ＵＥが前記ＭＣＩＤアーリーメディアをサポートすると判定した場合には、ネットワークは、ＭＣＩＤアーリーメディアと着呼側ＵＥとをネゴシエーションし、ネゴシエーションが成功したならば、着呼側ＵＥにＭＣＩＤを再生する。もしネットワークが、着呼側ＵＥがＭＲＢＴサービス加入者であり、発呼側ＵＥがＭＲＢＴアーリーメディアをサポートすると判定した場合には、ネットワークは、ＭＲＢＴアーリーメディアと発呼側ＵＥとをネゴシエーションし、ネゴシエーションが成功したならば、発呼側ＵＥにＭＲＢＴを再生する。
【００１３】
ＩＭＳは、基本シグナリングプロトコルとしてセッションイニシエーションプロトコル（ＳＩＰ）を使用し、モバイルＵＥ間でのピアツーピア接続を可能にする。ピアツーピア通話において、通話前に使用されていたメディアは、発呼側ＵＥと着呼側ＵＥ間でセットアップされ"アーリーメディア"と呼ばれる。発呼側ＵＥと着呼側ＵＥとの通話中に使用されるメディアは、"ノーマルメディア"と呼ばれる。
【００１４】
本発明は、実施形態および付随した図面とともに以下で詳細に説明される。
【００１５】
図１は、本発明の実施形態１におけるＭＲＢＴサービスを実施するステップのフローチャートを示している。
【００１６】
ステップ１０１：発呼側ＵＥは、コールリクエストをネットワーク側に送信する。前記コールリクエストは、着呼側ＵＥ識別子と発呼側ＵＥのアーリーセッション機能識別子および高信頼度応答機能識別子を搬送する。
【００１７】
本発明の実施形態１において、前記ネットワークは、ＩＭＳコアネットワーク、ＭＲＢＴアプリケーションサーバ（ＡＳ）、およびＭＲＢＴマルチメディアリソースサーバ（ＭＲＳ）を含みうる。前記ＩＭＳコアネットワークは、呼セッション制御機能（ＣＳＣＦ）エンティティを含みうる。
【００１８】
本発明の一実施形態において、エンティティ間のシグナリング送信は、ＩＭＳコアネットワークにおけるＣＳＣＦエンティティのルーティングを介して実施される。説明の簡略化のために、前記ＩＭＳコアネットワークを介したフォワーディング処理は、以下のシグナリング送信処理に関する説明においては省略する。第一に、発呼側ＵＥは、コールリクエストを前記ＣＳＣＦに送信する。前記コールリクエストは、前記着呼側ＵＥ識別子を搬送する。この実施形態において、前記着呼側ＵＥ識別子は、電話番号のような着呼側ＵＥ接続識別子であってよい。前記コールリクエストは、前記ＣＳＣＦにインバイト（Ｉｎｖｉｔｅ）メッセージを介して送信されうる。前記コールリクエストは、前記着呼側ＵＥ識別子だけでなくノーマルメディアリクエスト（例えば、Ｏｆｆｅｒ）も搬送する。さらに、メッセージの"Supported"ヘッダーフィールドは、発呼側ＵＥがＭＲＢＴアーリーメディアと高信頼性応答サービスをサポートすることを示す、発呼側ＵＥのアーリーセッション機能識別子および高信頼性応答機能識別子（例えば、１００ｒｅｌ）を含む。反対に、もし"Supported"ヘッダーフィールドが、アーリーセッションまたは１００ｒｅｌを含んでいなかった場合には、前記発呼側ＵＥは、ＭＲＢＴアーリーメディアまたは高信頼性応答サービスをサポートしない。
【００１９】
ステップ１０２：ネットワークは、前記着呼側ＵＥ識別子に従い着呼側ＵＥがＭＲＢＴサービス加入者であるかどうかを判定するとともに、前記発呼側ＵＥのアーリーセッション機能識別子および高信頼性応答機能識別子に従い、発呼側ＵＥがＭＲＢＴアーリーメディアをサポートするかどうかを判定する。
【００２０】
前記発呼側ＵＥからのコールリクエストを受信後、前記ＣＳＣＦは、前記ＵＥ識別子とＭＲＢＴサービスへの加入状態との格納されている関係に従って、着呼側ＵＥ識別子が、対応するＭＲＢＴサービスに加入していることを示しているかどうかを判別する。もし着呼側ＵＥ識別子が、対応するＭＲＢＴサービスに加入していることを示しているならば、前記ＣＳＣＦは、前記着呼側ＵＥが前記ＭＲＢＴサービス加入者であると判定する。
【００２１】
前記ＣＳＣＦが、着呼側ＵＥはＭＲＢＴサービス加入者であると判定する場合、前記ＣＳＣＦはコールリクエストをＭＲＢＴ ＡＳへ送信する。コールリクエストを受信後、前記ＭＲＢＴ ＡＳは、コールリクエストにおける"Supported"ヘッダーフィールドにより搬送された発呼側ＵＥのアーリーセッション機能識別子および高信頼性応答機能識別子にしたがって、発呼側ＵＥがＭＲＢＴアーリーメディアをサポートすると判定するとともに、着呼側ＵＥ識別子に従って、前記コールリクエストを、対応する着呼側ＵＥに送信する。前記コールリクエストを受信後、前記着呼側ＵＥは、コールリクエスト内のノーマルメディアリクエストに従ってノーマルメディアネゴシエーションを実行し、レスポンスメッセージを前記ＭＲＢＴ ＡＳへ返信する。前記レスポンスメッセージは、ノーマルメディアレスポンスメッセージ（例えば、Ａｎｓｗｅｒ）を搬送する１８３レスポンスメッセージであってよい。
【００２２】
コールリクエストを前記着呼側ＵＥへ送信する場合、前記ＭＲＢＴ ＡＳは、インバイトメッセージを前記ＭＲＢＴ ＭＲＳへ送信する。ＭＲＢＴ ＡＳが前記インバイトメッセージをＭＲＢＴ ＭＲＳへ送信後、前記ＭＲＢＴ ＭＲＳは、ＭＲＢＴアーリーメディアリクエストをＭＲＢＴ ＡＳへ搬送する２００レスポンスメッセージを返信する。しかし、もし、前記発呼側ＵＥがＭＲＢＴアーリーメディアまたは高信頼性応答サービスをサポートしていない場合には、前記ＭＲＢＴ ＡＳは、発呼側ＵＥがＭＲＢＴアーリーメディアをサポートしていないとみなし、いかなるインバイトメッセージもＭＲＢＴ ＭＲＳへ送信しないか、またはその後のＭＲＢＴアーリーメディアネゴシエーションを実行しない。
【００２３】
着呼側ＵＥにより返信された１８３レスポンスメッセージを受信後、前記ＭＲＢＴ ＡＳは、ＭＲＢＴアーリーメディアリクエストを前記１８３レスポンスメッセージに挿入し、前記１８３レスポンスメッセージを、ＣＳＣＦを介し発呼側ＵＥへ送信する。この場合において、前記１８３レスポンスメッセージは、着呼側ＵＥにより返信されたノーマルメディアレスポンスメッセージだけでなく、ＭＲＢＴアーリーメディアリクエストも搬送する。
【００２４】
ステップ１０３：ネットワークはＭＲＢＴアーリーメディアと発呼側ＵＥとをネゴシエーションし、ネゴシエーションが成功した場合には、ＭＲＢＴを発呼側ＵＥへ再生する。
【００２５】
１８３レスポンスを受信後、前記発呼側ＵＥは、ＭＲＢＴアーリーメディアをネゴシエーションする。ネゴシエーション方法は、発呼側ＵＥが１８３レスポンスメッセージのＭＲＢＴアーリーメディアリクエストにより搬送されたエンコーディングタイプを判定し、それ自身の機能に従ってマッチングを実行し、マッチしたネゴシエーション結果をＭＲＢＴ ＡＳへ返信する。
【００２６】
本発明の一実施形態を実施する場合、前記発呼側ＵＥは、着呼側ＵＥがＭＲＢＴアーリーメディアをサポートするかどうかに関係なくＭＲＢＴアーリーメディアをサポートするとともにネゴシエーションしなければならない。発呼側ＵＥがＭＲＢＴ ＡＳからＭＲＢＴアーリーメディアリクエストと、着呼側ＵＥからのアンサーメッセージと、着呼側ＵＥのアーリーセッション機能識別子および高信頼性応答機能識別子とを受信後、前記発呼側ＵＥは、着呼側ＵＥが、ノーマルメディアネゴシエーションを終了していると判定し、その後発呼側ＵＥ自身がＭＲＢＴアーリーメディアリクエストをサポートするかどうかを判断する。例えば、フォーマットの整合、データ符号化／復号化タイプおよび機能の判断である。もし要求事項が合致するならば、すなわち、前記ネゴシエーションが成功するならば、前記発呼側ＵＥは、前記ＣＳＣＦを介し、暫定的な高信頼性アクノリッジメント（例えば、ＰＲＡＣＫ）をＭＲＢＴ ＡＳに送信する。前記ＰＲＡＣＫは、ＭＲＢＴアーリーメディアアンサー（例えば、ＭＲＢＴ Ａｎｓｗｅｒ）を搬送する。反対に、もし発呼側ＵＥにより受信された１８３メッセージがＭＲＢＴアーリーメディアリクエストを搬送していない場合には、返信するアンサー信号は、ＭＲＢＴアンサーを搬送しない。もし、コールリクエストが発呼側ＵＥのアーリーセッション機能識別子または高信頼性応答機能識別子を搬送していないとともに着呼側ＵＥがリソース予約をサポートしなければならない場合、前記着呼側ＵＥは、クライアントエラー（例えば、４ＸＸ）レスポンスを返信し、発呼は終了する。さらに、もし、着呼側ＵＥがＩＭＳネットワーク端末の代わりに固定電話端末のような従来型の端末の場合には、１８０レスポンスメッセージが返信される。
【００２７】
ＭＲＢＴ ＡＳがＭＲＢＴアーリーメディアと発呼側ＵＥとのネゴシエーションに成功後、前記ＭＲＢＴ ＡＳは、ＰＲＡＣＫを着呼側ＵＥに送信するとともに、アクノリッジメントメッセージをＭＲＢＴ ＭＲＳに送信する。前記アクノリッジメントメッセージは、ＭＲＢＴアーリーメディアのネゴシエーションの結果を搬送する。ＰＲＡＣＫの受信後、前記着呼側ＵＥはＰＲＡＣＫアンサーを前記ＭＲＢＴ ＡＳに返信し、前記ＭＲＢＴ ＡＳは、ＣＳＣＦを介しＰＲＡＣＫアンサーを発呼側ＵＥに送信する。発呼側ＵＥと着呼側ＵＥとの間の接続がセットアップされた後、前記着呼側ＵＥは、１８０レスポンスをＭＲＢＴ ＡＳに再送信し、呼び出し（ringing）の準備を指示する。ＭＲＢＴ ＡＳは、１８０レスポンスを発呼側ＵＥに送信する。その後、前記ＭＲＢＴ ＡＳは、ノーティフィケーションシグナルをＭＲＢＴ ＭＲＳに送信し、前記ＭＲＢＴ ＭＲＳは、発呼側ＵＥへのＭＲＢＴの再生を開始する。この実施形態において、ノーティフィケーションシグナルはＩｎｆｏ信号であってよい。
【００２８】
着呼側ＵＥがオフフックとなった場合、前記着呼側ＵＥは２００レスポンスをＭＲＢＴ ＡＳに送信し、通話の開始を通知(notifying)し、ＭＲＢＴの再生を停止する。ＭＲＢＴ ＡＳは２００レスポンスを発呼側ＵＥに送信する。前記ＭＲＢＴ ＡＳは、ＢＹＥメッセージをＭＲＢＴ ＭＲＳに送信し、ＭＲＢＴアーリーメディアの再生の停止を指示する。前記ＭＲＢＴ ＭＲＳは、ＭＲＢＴの再生を停止し、２００レスポンスメッセージをＭＲＢＴ ＡＳに返信する。
【００２９】
さらに、もし発呼側ＵＥおよび着呼側ＵＥがＭＲＢＴアーリーメディアの再生時においてリソースの予約を要求するならば、着呼側ＵＥがリンギングの準備ができていることを示す１８０レスポンスを送信する前で、発呼側ＵＥがリソース予約を終了後に、アップデートメッセージがＣＳＣＦを介してＭＲＢＴ ＡＳに送信される。ＭＲＢＴ ＡＳは、アップデートメッセージを着呼側ＵＥに送信し、着呼側ＵＥにより返信されたアップデートレスポンスメッセージを受信し、そして、ＣＳＣＦを介してアップデートレスポンスメッセージを発呼側ＵＥに送信する。前記着呼側ＵＥがオフフックとなった場合、着呼側ＵＥにより送信された２００レスポンスは、予約されたアーリーメディアリソースの解放をシステムに要求することも目的としている。
【００３０】
上述した本発明の前記実施形態１におけるＭＲＢＴサービスの実施のプロセスに基づき、この実施形態は、ＭＲＢＴサービスを実施するためのシステムをさらに提供する。図２に示すように、前記システムは、発呼側ＵＥと、ネットワークと、を備える。前記発呼側ＵＥは、コールリクエストを前記ネットワークに送信するとともにＭＲＢＴアーリーメディアと前記ネットワークとをネゴシエーションするように構成されている。前記コールリクエストは、着呼側ＵＥ識別子と、発呼側ＵＥのアーリーセッション機能識別子および高信頼性応答機能識別子と、を搬送する。前記ネットワークは、着呼側ＵＥ識別子に従って着呼側ＵＥがＭＲＢＴサービス加入者であると判定し、発呼側ＵＥのアーリーセッション機能識別子および高信頼性応答機能識別子に従って発呼側ＵＥがＭＲＢＴアーリーメディアをサポートすることを判定し、ＭＲＢＴアーリーメディアと発呼側ＵＥとをネゴシエーションし、ＭＲＢＴを発呼側ＵＥに再生するように構成されている。
【００３１】
前記ネットワークは、着呼側ＵＥ識別子とＭＲＢＴサービスへの加入状態との格納されている関係に従って、着呼側ＵＥ識別子が、対応するＭＲＢＴサービスに加入していることを示しているかどうか判別し、もし着呼側ＵＥ識別子が、対応するＭＲＢＴサービスに加入していることを示しているならば、着呼側ＵＥがＭＲＢＴサービス加入者であると判定するようにさらに構成されている。
【００３２】
前記システムは、着呼側ＵＥをさらに具備し、前記コールリクエストは、ノーマルメディアリクエストをさらに搬送する。前記ネットワークは、コールリクエストを着呼側ＵＥに送信し、着呼側ＵＥからレスポンスメッセージを受信するようにさらに構成されている。前記レスポンスメッセージは、ノーマルメディアレスポンスメッセージを搬送する。前記着呼側ＵＥは、ノーマルメディアリクエストに従ってノーマルメディアネゴシエーションを実行し、レスポンスメッセージを前記ネットワークに送信するように構成されている。
【００３３】
前記ネットワークは、ＭＲＢＴアーリーメディアリクエストを発呼側ＵＥに送信するとともにＭＲＢＴアンサーを発呼側ＵＥから受信するように構成されている。前記発呼側ＵＥは、それ自身の機能に従ってＭＲＢＴアーリーメディアとネゴシエーションし、もしネゴシエーションが成功したならばＭＲＢＴアンサーを前記ネットワークに送信するように構成されている。
【００３４】
上述した本発明の一実施形態におけるＭＲＢＴサービスの実施のための方法およびシステムに基づき、この実施形態は、ＭＲＢＴサービスを実施するための装置も提供する。図３に示すように、装置は、ＭＲＢＴコール受信ユニット１１，ＭＲＢＴネゴシエーションユニット１２およびＭＲＢＴ再生ユニット１３を具備する。前記ＭＲＢＴコール受信ユニット１１は、発呼側ＵＥからのコールリクエストを受信するように構成されており、前記コールリクエストは、着呼側ＵＥ識別子と、発呼側ＵＥのアーリーセッション機能識別子および高信頼性応答機能識別子とを搬送する。前記ＭＲＢＴネゴシエーションユニット１２は、着呼側ＵＥ識別子に従って着呼側ＵＥがＭＲＢＴサービス加入者であると判定し、発呼側ＵＥのアーリーセッション機能識別子および高信頼性応答機能識別子に従って、発呼側ＵＥがＭＲＢＴアーリーメディアをサポートすると判定し、その後ＭＲＢＴアーリーメディアと発呼側ＵＥとをネゴシエーションするように構成されている。そしてＭＲＢＴ再生ユニット１３は、ネゴシエーションが成功したならば、発呼側ＵＥにＭＲＢＴを再生するように構成されている。
【００３５】
前記ＭＲＢＴネゴシエーションユニットは、着呼側ＵＥ識別子とＭＲＢＴサービスへの加入状態との格納されている関係に従って、対応するＭＲＢＴサービスに加入していることを、着呼側ＵＥ識別子が示しているかどうかを判別し、もし着呼側ＵＥ識別子が、対応するＭＲＢＴサービスに加入していることを示しているならば、着呼側ＵＥがＭＲＢＴサービス加入者であると判定するように構成されているＭＲＢＴ加入者判定ユニット２１と、発呼側ＵＥのアーリーセッション機能識別子および高信頼性応答機能識別子に従って、発呼側ＵＥがＭＲＢＴアーリーメディアをサポートすると判定するように構成されているＭＲＢＴサービス判定ユニット２２と、ＭＲＢＴアーリーメディアと発呼側ＵＥとをネゴシエーションするように構成されているＭＲＢＴオペレーティングユニット２３と、を具備する。
【００３６】
ＭＲＢＴオペレーティングユニット２３は、ＭＲＢＴアーリーメディアリクエストを発呼側ＵＥに送信するように構成されている第１送信ユニット２４と、発呼側ＵＥにより送信されたＭＲＢＴアンサーを受信するように構成されている第１受信ユニット２５と、を具備する。
【００３７】
図４は、本発明の実施形態２におけるＭＣＩＤサービスを実施するステップのフローチャートを示している。その方法は、以下のステップを具備する。
【００３８】
ステップ４０１：前記発呼側ＵＥは、コールリクエストをネットワークに送信する。前記コールリクエストは、発呼側ＵＥ識別子および着呼側ＵＥ識別子を搬送する。
【００３９】
実施形態１と同様に、実施形態２における前記ネットワークは、ＩＭＳコアネットワーク、ＭＲＢＴ ＡＳおよびＭＲＢＴ ＭＲＳを具備する。前記ＩＭＳコアネットワークは、ＣＳＣＦエンティティを含む。
【００４０】
コールが開始されると、前記発呼側ＵＥは、コールリクエストを前記ＣＳＣＦに送信する。前記コールリクエストは、着呼側ＵＥ識別子および発呼側ＵＥ識別子を搬送する。インバイトメッセージを介して送信してもよい。前記コールリクエストは、オファー(Offer)と発呼側ＵＥのアーリーセッション機能識別子および高信頼性応答機能識別子とをさらに搬送してもよい。
【００４１】
ステップ４０２：前記ネットワークは、発呼側ＵＥ識別子に従って、発呼側ＵＥが、ＭＣＩＤサービス加入者であると判定し、着呼側ＵＥ識別子に従って、着呼側ＵＥが、ＭＣＩＤアーリーメディアをサポートすると判定する。
【００４２】
前記コールリクエストを受信後、前記ＣＳＣＦは、ＵＥ識別子とＭＣＩＤサービスへの加入状態との格納されている関係に従って、対応するＭＣＩＤサービスに加入していることを発呼側ＵＥ識別子が示しているかどうかを判別する。もし、前記発呼側ＵＥ識別子が、対応するＭＣＩＤサービスに加入していることを示している場合、ＣＳＣＦは、発呼側ＵＥは、ＭＣＩＤサービス加入者であると判定する。
【００４３】
発呼側ＵＥがＭＣＩＤ加入者であると判定後、前記ＣＳＣＦは、コールリクエストをＭＣＩＤ ＡＳに送信する。前記コールリクエストを受信後、前記ＭＣＩＤ ＡＳは、着呼側ＵＥがＭＣＩＤアーリーメディアをサポートするかどうかを判別する必要がある。判別方法は、ＭＣＩＤ ＡＳは、アーリーメディアサービス機能(Ｅａｒｌｙ−Ｓｅｓｓｉｏｎ)のサポートを要求する識別子をコールリクエスト内に追加し、その後前記コールリクエストを着呼側ＵＥに送信するものである。前記コールリクエストを受信後、もしアーリーメディアサービス機能がサポートされているならば、前記着呼側ＵＥは、コールリクエスト内のノーマルメディアリクエストに従ってノーマルメディアネゴシエーションを実行し、その後、レスポンスメッセージをＭＣＩＤ ＡＳに返信する。前記レスポンスメッセージは、１８３レスポンスメッセージであってもよく、アンサーメッセージを搬送する。前記ＭＣＩＤ ＡＳは、ＣＳＣＦを介し、１８３レスポンスメッセージを発呼側ＵＥに送信する。もしアーリーメディアサービス機能がサポートされていなかった場合、"420 Bad Extension"が返信され、前記ＭＣＩＤ ＡＳは、前記着呼側ＵＥがＭＣＩＤサービスをサポートしないものとみなし、その後のＭＣＩＤアーリーメディアネゴシエーションを実行しない。前記アーリーセッション識別子は、"Require"ヘッダーフィールドに追加してもよい。
【００４４】
ステップ４０３：前記ネットワークはＭＣＩＤアーリーメディアと着呼側ＵＥとをネゴシエーションし、ＭＣＩＤを着呼側ＵＥに再生する。
【００４５】
前記発呼側ＵＥがＭＣＩＤサービス加入者であるとともに着呼側ＵＥがＭＣＩＤアーリーメディアをサポートすると判定後、前記ＭＣＩＤ ＡＳは、インバイトメッセージをＭＣＩＤ ＭＲＳに送信する。前記ＭＣＩＤ ＭＲＳは、ＭＣＩＤアーリーメディアリクエストを搬送する２００レスポンスメッセージをＭＣＩＤ ＡＳに返信する。１８３メッセージを受信後、前記発呼側ＵＥは、ＣＳＣＦを介し、ＰＲＡＣＫを前記ＭＣＩＤ ＡＳに返信する。その後、前記ＭＣＩＤ ＡＳは、ＭＣＩＤアーリーメディアリクエストを受信したＰＲＡＣＫに挿入し、ＭＣＩＤアーリーメディアと着呼側ＵＥとをネゴシエーションするために、前記ＰＲＡＣＫを着呼側ＵＥに送信する。前記ネゴシエーション処理は、前記ＭＣＩＤ ＡＳがＰＲＡＣＫメッセージを着呼側ＵＥに送信する。前記ＰＲＡＣＫメッセージは、ＭＣＩＤアーリーメディアリクエストと、発呼側ＵＥにより送信された発呼側ＵＥのアーリーセッション機能識別子および高信頼性応答機能識別子とを搬送する。もし、前記発呼側ＵＥがコールリクエストに関与していない場合、前記ＭＣＩＤ ＡＳは、２つの識別子をＰＲＡＣＫメッセージに挿入する。ＭＣＩＤ ＡＳからの前記ＰＲＡＣＫメッセージを受信後、前記着呼側ＵＥは、それ自身の機能に従ってＭＣＩＤアーリーメディアとネゴシエーションする。もし前記ネゴシエーションが成功したならば、前記着呼側ＵＥはＰＲＡＣＫアンサーをＭＣＩＤ ＡＳに送信する。前記ＰＲＡＣＫアンサーは、ＭＣＩＤアーリーメディアアンサー(例えば、ＭＣＩＤアンサー)を搬送する。
【００４６】
前記ＭＣＩＤ ＡＳがＭＣＩＤアーリーメディアと着呼側ＵＥともにネゴシエーション成功後、前記ＭＣＩＤ ＡＳは、ＣＳＣＦを介し、ＰＲＡＣＫアンサーを発呼側ＵＥに送信し、アクノリッジメントメッセージをＭＣＩＤ ＭＲＳに送信する。前記アクノリッジメントメッセージは、前記ＭＣＩＤアーリーメディアネゴシエーションの結果（例えば、ＭＣＩＤ Ａｎｓｗｅｒ）を搬送する。発呼側ＵＥと着呼側ＵＥとの接続がセットアップされた後、前記着呼側ＵＥは、１８０レスポンスをＭＣＩＤ ＡＳに送信し、リンギング(ringing)の準備を指示する。前記ＭＣＩＤ ＡＳは、ＣＳＣＦを介し、１８０レスポンスを発呼側ＵＥに送信する。その後、前記ＭＣＩＤ ＡＳは、ノーティフィケーションシグナルをＭＣＩＤ ＭＲＳに送信する。前記ＭＣＩＤ ＭＲＳは、着呼側ＵＥにＭＣＩＤの再生を開始する。この実施形態において、前記ノーティフィケーションシグナルは、Ｉｎｆｏシグナルであってもよい。
【００４７】
発呼側パーティがオフフック後、前記着呼側ＵＥは、２００レスポンスをノーティフィケーションシグナルとして前記ＭＣＩＤ ＡＳに返信し、その後、前記ＭＣＩＤ ＡＳは、２００レスポンスを発呼側ＵＥに返信する。さらに、前記ＭＣＩＤ ＡＳは、ＢＹＥメッセージをＭＣＩＤ ＭＲＳに送信し、ＭＣＩＤアーリーメディアの再生の停止を指示する。前記ＭＣＩＤ ＭＲＳは、前記ＭＣＩＤの再生を停止し、２００レスポンスメッセージを前記ＭＣＩＤ ＡＳに返信する。
【００４８】
もし前記発呼側ＵＥおよび着呼側ＵＥが、ＭＣＩＤアーリーメディアのネゴシエーション時において、リソース予約を要求する場合には、着呼側ＵＥがリンギングの準備を指示する１８０レスポンスを送信する前で、かつ発呼側ＵＥがリソースの予約の終了後に、前記発呼側ＵＥは、アップデートメッセージを前記着呼側ＵＥに送信する。アップデートレスポンスを発呼側ＵＥに送信後、前記着呼側ＵＥは、リンギングの準備を指示する１８０レスポンスを送信する。前記着呼側ＵＥがオフフックとなった場合、着呼側ＵＥにより送信された前記２００レスポンスは、予約したアーリーメディアリソースのリリースをシステムに要求することも目的としている。
【００４９】
上述した本発明の前記実施形態２におけるＭＣＩＤサービスの実施のための方法に基づき、この実施形態は、ＭＣＩＤサービスを実施するためのシステムをさらに提供する。図５に示すように、システムは、発呼側ＵＥ、着呼側ＵＥ、およびネットワークを具備する。前記発呼側ＵＥは、コールリクエストを前記ネットワークに送信するように構成されている。前記コールリクエストは、発呼側ＵＥ識別子および着呼側ＵＥ識別子を搬送する。前記ネットワークは受信した発呼側ＵＥ識別子に従って、発呼側ＵＥがＭＣＩＤサービス加入者であると判定し、着呼側ＵＥ識別子に従って、着呼側ＵＥがＭＣＩＤアーリーメディアをサポートすると判定し、ＭＣＩＤアーリーメディアと着呼側ＵＥともにネゴシエーションし、前記ネゴシエーションが成功した場合には、前記着呼側ＵＥにマルチメディアメディアを再生する。前記着呼側ＵＥは、前記ＭＣＩＤアーリーメディアと前記ネットワークともにネゴシエーションするように構成されている。
【００５０】
前記ネットワークは、前記ＵＥ識別子とＭＣＩＤサービスの加入状態との間の格納された関係に従って、発呼側ＵＥ識別子が、対応するＭＣＩＤサービスに加入していることを示しているかどうかを判別するようにさらに構成されている。もし、前記発呼側ＵＥ識別子が対応するＭＣＩＤサービスに加入していることを示す場合、前記ネットワークは、前記発呼側ＵＥがＭＣＩＤサービス加入者であると判定する。もし、前記コールリクエストがノーマルメディアリクエストを含んでいる場合、前記着呼側ＵＥは、前記ノーマルメディアリクエストに従って、ノーマルメディアネゴシエーションを実行し、前記アンサーメッセージを前記ネットワークに送信するようにさらに構成されている。前記ネットワークは、アーリーメディアサービス機能のサポートを要求する識別子を、ノーマルメディアリクエストを搬送するコールリクエストに追加し、コールリクエストを前記着呼側ＵＥに送信し、着呼側ＵＥにより送信されたアンサーメッセージを受信するように構成されている。もし、前記アンサーメッセージが通常の暫定アンサー(normal provisional answer)の場合、着呼側ＵＥは、ＭＣＩＤアーリーメディアをサポートしていると判定される。アーリーメディアサービスのサポートを要求する前記機能識別子は、"Require"ヘッダーフィールドに追加されうる。
【００５１】
前記ネットワークは、ＭＣＩＤアーリーメディアリクエストを着呼側ＵＥに送信し、着呼側ＵＥからＭＣＩＤアーリーメディアアンサー（例えば、ＭＣＩＤ Ａｎｓｗｅｒ）を受信するように構成されている。前記着呼側ＵＥは、それ自身の機能に従って、前記ＭＣＩＤアーリーメディアとネゴシエーションし、前記ネゴシエーションが成功した場合には、ＭＣＩＤアンサーを前記ネットワークに送信するように構成されている。
【００５２】
上述した本発明の一実施形態におけるＭＣＩＤサービスの実施のための方法およびシステムに基づき、この実施形態は、ＭＣＩＤサービスを実施するための装置をさらに提供する。図６に示すように、装置は、受信ユニット３１，第１ネゴシエーションユニット３２，および第１再生ユニット３３を具備する。前記受信ユニット３１は、発呼側ＵＥからコールリクエストを受信するように構成されている。前記コールリクエストは、発呼側ＵＥ識別子および着呼側ＵＥ識別子を搬送する。前記第１ネゴシエーションユニット３２は、前記発呼側ＵＥ識別子に従って、発呼側ＵＥがＭＣＩＤサービス加入者であると判定し、前記着呼側ＵＥ識別子に従って着呼側ＵＥがＭＣＩＤアーリーメディアをサポートしていると判定し、その後、ＭＣＩＤアーリーメディアと着呼側ＵＥとをネゴシエーションするように構成されている。そして、もし、前記ネゴシエーションが成功したならば、第１再生ユニット３３は、着呼側ＵＥにＭＣＩＤを再生するように構成されている。
【００５３】
前記コールリクエストは、ノーマルメディアリクエストを搬送する。前記第１ネゴシエーションユニット３２は、ＵＥ識別子とＭＣＩＤサービス加入状態との格納された関係に従って、発呼側ＵＥ識別子が、対応するＭＣＩＤサービスに加入していることを示しているかどうかを判別し、もし、発呼側ＵＥ識別子が、対応するＭＣＩＤサービスに加入していることを示しているならば、発呼側ＵＥがＭＣＩＤサービス加入者であると判定するように構成されている第１加入者判定ユニット４１と、アーリーメディアサービス機能のサポートを要求する識別子を、ノーマルメディアリクエストを搬送するコールリクエストに追加し、前記コールリクエストを着呼側ＵＥに送信し、アンサーメッセージを着呼側ＵＥから受信し、着呼側ＵＥが通常の暫定アンサーを返信する場合には、前記着呼側ＵＥがＭＣＩＤアーリーメディアをサポートしていると判定するように構成されている第１サービス判定ユニット４２と、をさらに具備し、アーリーメディアサービスのサポートを要求する前記機能識別子は、"Require"ヘッダーフィールドに追加されうることを特徴とする。第１オペレーティングユニット４３は、ＭＣＩＤアーリーメディアと着呼側ＵＥとをネゴシエーションするように構成されている。
【００５４】
第１オペレーティングユニット４３は、ＭＣＩＤアーリーメディアリクエストを着呼側ＵＥに送信するように構成されている第２送信ユニット４４と、着呼側ＵＥにより送信されたＭＣＩＤアンサーを受信するように構成されている第２受信ユニット４５と、を具備する。
【００５５】
上述した実施形態２に基づき、前記ＭＲＢＴサービスは、ＭＣＩＤサービスの実施のときに実施されうる。従って、第３実施形態は、ＭＣＩＤサービスの実施に基づいてＭＲＢＴサービスを実施するための方法を提供する。図７は、第３実施形態のフローチャートを示している。前記方法は、以下のステップを有する。
【００５６】
ステップ７０１：前記発呼側ＵＥは、コールリクエストを前記ネットワークに送信する。前記コールリクエストは、発呼側ＵＥ識別子と、着呼側ＵＥ識別子と、発呼側ＵＥのアーリーセッション機能識別子および高信頼性応答機能識別子とを搬送する。
【００５７】
同様に、この実施形態は、前記ネットワークが、ＩＭＳコアネットワーク，ＭＣＩＤ ＡＳ，ＭＣＩＤ ＭＲＳ，ＭＲＢＴ ＡＳ，およびＭＲＢＴ ＭＲＳを具備していると想定している。前記ＩＭＳコアネットワークは、ＣＳＣＦエンティティを含む。
【００５８】
コールの初めに、前記発呼側ＵＥは、コールリクエストを前記ＣＳＣＦに送信する。前記コールリクエストは、発呼側ＵＥ識別子，着呼側ＵＥ識別子，ならびに発呼側ＵＥのアーリーセッション機能識別子および１００ｒｅｌ機能識別子を搬送する。同様に、前記コールリクエストは、インバイトメッセージを介して送信してもよい。前記コールリクエストは、前述のインフォメーションに加えてノーマルメディアリクエストも含んでよい。
【００５９】
ステップ７０２：前記ネットワークが、発呼側ＵＥ識別子に従って、発呼側ＵＥがＭＣＩＤサービス加入者であると判定するとともに、着呼側ＵＥ識別子に従って、着呼側ＵＥがＭＣＩＤアーリーメディアをサポートしていると判定した後、前記ネットワークは、ＭＣＩＤアーリーメディアと着呼側ＵＥとをネゴシエーションし、ＭＣＩＤを着呼側ＵＥに再生する。前記ネットワークが、着呼側ＵＥ識別子に従って、着呼側ＵＥがＭＲＢＴサービス加入者であると判定するとともに、発呼側ＵＥのアーリーセッション機能識別子および高信頼性応答機能識別子に従って、前記発呼側ＵＥがＭＲＢＴアーリーメディアをサポートしていると判定した後、前記ネットワークは、ＭＲＢＴアーリーメディアと発呼側ＵＥとをネゴシエーションし、ＭＲＢＴを発呼側ＵＥに再生する。
【００６０】
発呼側ＵＥからコールリクエストを受信した後、前記ＣＳＣＦは、ＵＥ識別子およびＭＣＩＤサービス加入状態の間の格納された関係に従って、発呼側ＵＥ識別子が対応するＭＣＩＤサービスに加入していることを示しているかどうかを判断する。もし、発呼側ＵＥ識別子が、対応するＭＣＩＤサービスに加入していることを示しているならば、前記ＣＳＣＦは、前記発呼側ＵＥは、ＭＣＩＤサービス加入者であると判定する。
【００６１】
発呼側ＵＥがＭＣＩＤ加入者であると判定後、前記ＣＳＣＦは、コールリクエストをＭＣＩＤ ＡＳに送信する。前記コールリクエストを受信後、前記ＭＣＩＤ ＡＳは、着呼側ＵＥがＭＣＩＤアーリーメディアをサポートするかどうか判別する必要がある前記判別方法は、アーリーメディアサービス機能のサポートを要求する識別子を、ノーマルメディアリクエストを搬送するコールリクエストの"Require"ヘッダーフィールドに追加し、前記コールリクエストを着呼側ＵＥに送信し、そして着呼側ＵＥからアンサーメッセージを受信し、もし、着呼側ＵＥにより返信された前記アンサーメッセージが通常の暫定アンサーであったならば、着呼側ＵＥはＭＣＩＤアーリーメディアをサポートすると判定し、ＭＣＩＤアーリーメディアネゴシエーションがその後実行される。
【００６２】
前述の処理において、前記ＭＣＩＤ ＡＳはＣＳＣＦを介し、前記コールリクエストを着呼側ＵＥに送信する。同様に、ＣＳＣＦが前記コールリクエストを転送した場合、前記ＣＳＣＦは、ＵＥ識別子とＭＲＢＴサービス加入状態との間の格納された関係に従って、対応するＭＲＢＴサービスに加入していると、着呼側ＵＥ識別子が示しているかどうか判別しうる。もし前記着呼側ＵＥ識別子が、対応するＭＲＢＴサービスに加入していることを示している場合、前記ＣＳＣＦは、前記着呼側ＵＥがＭＲＢＴサービス加入者と判定するとともに、前記コールリクエストが、ＭＲＢＴ ＡＳを介し、ＭＣＩＤ ＡＳにより着呼側ＵＥへ送信される。特に、前記コールリクエストを受信後、前記ＭＲＢＴ ＡＳは、搬送された前記コールリクエストの"Supported"ヘッダーフィールド内のアーリーセッション機能識別子および発呼側ＵＥの高信頼性応答機能識別子に従って、発呼側ＵＥがＭＲＢＴアーリーメディアをサポートすると判定するとともに、前記コールリクエストを、着呼側ＵＥ識別子に従って対応する着呼側ＵＥに送信する。着呼側ＵＥが前記コールリクエストを受信後、もし前記着呼側ＵＥがアーリーメディアサービス機能をサポートするならば、前記着呼側ＵＥは、前記コールリクエスト内のノーマルメディアリクエストに従って、ノーマルメディアネゴシエーションを実行するとともに、レスポンスメッセージを前記ＭＲＢＴ ＡＳに送信する。前記レスポンスメッセージは、ノーマルメディアレスポンスメッセージ（例えば、Ａｎｓｗｅｒ)を搬送する１８３レスポンスメッセージでありうる。
【００６３】
前述の処理において、前記ＭＲＢＴ ＡＳにより受信されたＣＳＣＦからの情報は、ＭＲＢＴメディア情報およびＭＣＩＤメディア情報の双方を含んでいる。前記ＭＲＢＴ ＡＳは、サービスデータポイント（ＳＤＰ）の"o"ライン内の"address"メッセージに従って、前記ＭＲＢＴメディアおよびＭＣＩＤメディアを解決(resolve)する。ＳＤＰは、インバイトメッセージを介して送信され、もし、前記アドレスが、受信したＳＤＰの"o"ライン内のアドレスと同じであるならば、前記情報は、ＭＲＢＴメディアである。そうでない場合には、前記情報は、ＭＣＩＤメディアである。
【００６４】
ＭＲＢＴアーリーメディアのネゴシエーションの処理およびＭＣＩＤアーリーメディアのネゴシエーションの処理において:
【００６５】
一方では、本発明の一実施形態において、前記コールリクエストを前記着呼側ＵＥに送信している間、前記ＭＲＢＴ ＡＳは、インバイトメッセージを前記ＭＲＢＴ ＭＲＳに送信する。前記ＭＲＢＴ ＡＳが前記インバイトメッセージを前記ＭＲＢＴ ＭＲＳに送信後、前記ＭＲＢＴ ＭＲＳは、２００レスポンスメッセージを前記ＭＲＢＴ ＡＳに返信する。前記２００レスポンスメッセージは、ＭＲＢＴアーリーメディアリクエストを搬送する。前記ＭＲＢＴ ＡＳは、ＭＲＢＴアーリーメディアと発呼側ＵＥともにネゴシエーションする。前記ネゴシエーション方法は、前記ＭＲＢＴ ＡＳが着呼側ＵＥにより返信された１８３メッセージを受信し、ＭＲＢＴアーリーメディアリクエストを１８３メッセージに挿入し、そして前記１８３メッセージを発呼側ＵＥに送信する。前記１８３メッセージは、ＭＲＢＴアーリーメディアリクエスト、着呼側ＵＥにより返信されたアンサーメッセージ、ならびに着呼側ＵＥのアーリーセッション機能識別子および高信頼性応答機能識別子を搬送する。ＭＲＢＴ ＡＳにより送信された前記ＭＲＢＴアーリーメディアリクエスト、着呼側ＵＥにより返信された前記アンサーメッセージならびに着呼側ＵＥの前記アーリーセッション機能識別子および高信頼性応答機能識別子を受信後、前記発呼側ＵＥは、着呼側ＵＥがノーマルメディアネゴシエーションを終了しているとともに、ＭＲＢＴアーリーメディアをサポートすると判定する。その後、発呼側ＵＥは、それ自身の機能に従って、ＭＲＢＴアーリーメディアネゴシエーションを実行するとともにもし、前記ネゴシエーションが成功したならば、ＰＲＡＣＫメッセージをＣＳＣＦに送信する。前記ＣＳＣＦは、ＭＣＩＤ ＡＳを介して、ＰＲＡＣＫをＭＲＢＴ ＡＳに送信する。前記ＰＲＡＣＫメッセージは、ＭＲＢＴアンサーを搬送する。前記ＭＲＢＴ ＡＳがＭＲＢＴアーリーメディアと発呼側ＵＥとのネゴシエーションが成功後、前記ＭＲＢＴ ＡＳはＰＲＡＣＫメッセージを着呼側ＵＥに送信し、そして、アクノリッジメントメッセージを前記ＭＲＢＴ ＭＲＳに送信する。前記アクノリッジメントメッセージは、ＭＲＢＴアーリーメディア（例えば、ＭＲＢＴアンサー）のネゴシエーションの結果を搬送する。
【００６６】
他方で、前記発呼側ＵＥが、ＭＲＢＴアーリーメディアネゴシエーションを実行している間、前記ＭＣＩＤ ＡＳは、インバイトメッセージを前記ＭＣＩＤ ＭＲＳに送信する。前記ＭＣＩＤ ＭＲＳは、ＭＣＩＤアーリーメディアリクエストを搬送する２００レスポンスメッセージをＭＣＩＤ ＡＳに返信する。その後、発呼側ＵＥにより送信されたＰＲＡＣＫメッセージを、ＣＳＣＦを介して受信後、前記ＭＣＩＤ ＡＳは、ＭＣＩＤアーリーメディアリクエストをＰＲＡＣＫに挿入し、前記ＰＲＡＣＫを着呼側ＵＥにＭＲＢＴ ＡＳを介して送信し、そして、ＭＣＩＤアーリーメディアと着呼側ＵＥとをネゴシエーションする。前記ネゴシエーションの成功後、前記着呼側ＵＥは、ＰＲＡＣＫアンサーメッセージを前記ＭＣＩＤ ＡＳに返信する。前記ＭＣＩＤ ＡＳは、ＰＲＡＣＫアンサーを発呼側ＵＥに送信し、そしてアクノリッジメントメッセージをＭＣＩＤ ＭＲＳに送信する。前記アクノリッジメッセージは、ＭＣＩＤアーリーメディア（例えば、ＭＣＩＤアンサー）のネゴシエーションの結果を搬送する。
【００６７】
接続が発呼側ＵＥと着呼側ＵＥとの間でセットアップ後、前記着呼側ＵＥは、１８０レスポンスをＭＲＢＴ ＡＳに送信する。前記ＭＲＢＴ ＡＳは、前記１８０レスポンスを前記ＭＣＩＤ ＡＳに送信し、リンギングの準備を指示する。前記ＭＣＩＤ ＡＳは、前記１８０レスポンスを発呼側ＵＥに送信し、そして、ノーティフィケーションシグナルをＭＣＩＤ ＭＲＳに送信する。前記ＭＣＩＤ ＭＲＳは、着呼側ＵＥにＭＣＩＤの再生を開始する。この実施形態において、前記ノーティフィケーションシグナルは、Ｉｎｆｏシグナルであってもよい。着呼側パーティがオフフックになった後、前記着呼側ＵＥは、２００レスポンスをノーティフィケーションシグナルとしてＭＣＩＤ ＡＳに返信し、その後、前記ＭＣＩＤ ＡＳは、２００レスポンスを発呼側ＵＥに返信する。その後、前記ＭＣＩＤ ＡＳは、ＢＹＥメッセージをＭＣＩＤ ＭＲＳに送信し、ＭＣＩＤアーリーメディアの再生の停止を指示する。前記ＭＣＩＤ ＭＲＳは、ＭＣＩＤの再生を停止するとともに、２００レスポンスメッセージをＭＣＩＤ ＡＳに返信する。
【００６８】
その一方、前記ＭＲＢＴ ＡＳは、ノーティフィケーションシグナルをＭＲＢＴ ＭＲＳに送信する。前記ＭＲＢＴ ＭＲＳは、発呼側ＵＥにＭＲＢＴの再生を開始する。この実施形態において、前記ノーティフィケーションシグナルは、Ｉｎｆｏシグナルであってもよい。前記着呼側ＵＥがオフフックになった場合、前記着呼側ＵＥは、２００レスポンスをＭＲＢＴ ＡＳに送信し、通話の開始とＭＲＢＴの再生の停止を通知する。前記ＭＲＢＴ ＡＳは、２００レスポンスを発呼側ＵＥに送信する。したがって、前記ＭＲＢＴ ＡＳは、ＢＹＥメッセージをＭＲＢＴ ＭＲＳに送信し、ＭＲＢＴアーリーメディアの再生の停止を指示する。前記ＭＲＢＴ ＭＲＳは、ＭＲＢＴの再生を停止するとともに、２００レスポンスメッセージをＭＲＢＴ ＡＳに返信する。
【００６９】
さらに、もし発呼側ＵＥおよび着呼側ＵＥが、ＭＲＢＴとＭＣＩＤアーリーメディアとのネゴシエーション時においてリソース予約を要求する場合、前記発呼側ＵＥは、着呼側ＵＥがリンギングの準備を指示する１８０レスポンスを送信する前で、発呼側ＵＥがリソースの予約が終了後、アップデートメッセージを着呼側ＵＥに送信する。アップデートレスポンスを発呼側ＵＥに送信後、前記着呼側ＵＥは、リンギングの準備を指示する２００レスポンスを送信する。前記着呼側ＵＥがオフフックになった場合、すなわち、ＭＲＢＴサービスおよびＭＣＩＤサービスが終了した場合、前記ＣＳＣＦは、着呼側ＵＥによりＭＲＢＴ ＡＳおよびＭＣＩＤ ＡＳに送信された２００レスポンスメッセージを受信し、したがって、予約されたＭＲＢＴおよびＭＣＩＤメディアリソースをリリースする。
【００７０】
前述の実施形態を実施するためのシーケンスは、単一のものではない(not unique)。本発明の一実施形態を実施する場合、発呼側ＵＥは、着呼側ＵＥがＭＲＢＴアーリーメディアをサポートするかどうかに関係なく、ＭＲＢＴアーリーメディアをサポートするとともにネゴシエーションしなければならない。前記着呼側ＵＥは、発呼側ＵＥがＭＣＩＤアーリーメディアをサポートするかどうかに関係なく、ＭＣＩＤアーリーメディアをサポートするとともにネゴシエーションしなければならない。その一方で、もし発呼側ＵＥがＭＣＩＤサービスに加入していなかった場合には、通常の通話サービスやＭＲＢＴサービスは、影響を受けない。もし着呼側ＵＥが、ＭＲＢＴサービスに加入していなかった場合には、通常の通話サービスやＭＣＩＤサービスは、影響を受けない。そのうえ、前述した方法は、ＭＲＢＴサービスを実施に基づいて、ＭＣＩＤサービスが実施されるとみなされうる。
【００７１】
上述した本発明の第３実施形態におけるＭＲＢＴサービスおよびＭＣＩＤサービスの実施のための方法に基づき、この実施形態は、ＭＣＩＤサービスが実施中におけるＭＲＢＴサービスの実施のためのシステムもさらに提供する。図８に示すように、前記システムは、発呼側ＵＥと、着呼側ＵＥと、ネットワークと、を具備する。前記発呼側ＵＥは、コールリクエストを前記ネットワークに送信するように構成されている。前記コールリクエストは、発呼側ＵＥ識別子および着呼側ＵＥ識別子を搬送する。前記ネットワークは、受信した発呼側ＵＥ識別子に従って、発呼側ＵＥがＭＣＩＤサービス加入者であると判定し、前記着呼側ＵＥ識別子に従って、着呼側ＵＥがＭＣＩＤアーリーメディアをサポートすると判定し、ＭＣＩＤアーリーメディアと着呼側ＵＥとをネゴシエーションし、そして前記ネゴシエーションが成功した場合には、ＭＣＩＤを着呼側ＵＥに再生するように構成されている。前記着呼側ＵＥは、ＭＣＩＤアーリーメディアと前記ネットワークとをネゴシエーションするように構成されている。
【００７２】
もし、コールリクエストが、発呼側ＵＥのアーリーセッション機能識別子および高信頼性応答機能識別子を搬送している場合には、前記発呼側ＵＥは、ＭＲＢＴアーリーメディアと前記ネットワークとをネゴシエーションするようにさらに構成されている。前記ネットワークは、着呼側ＵＥ識別子に従って、着呼側ＵＥがＭＲＢＴサービス加入者であると判定し、発呼側ＵＥのアーリーセッション機能識別子および高信頼性応答機能識別子に従って、発呼側ＵＥがＭＲＢＴアーリーメディアをサポートすると判定し、その後、前記ＭＲＢＴアーリーメディアと発呼側ＵＥとをネゴシエーションし、もし前記ネゴシエーションが成功した場合には、ＭＲＢＴを発呼側ＵＥに再生するようにさらに構成されている。
【００７３】
前記ネットワークは、ＵＥ識別子とＭＣＩＤサービスの加入状態との間の格納された関係に従って、発呼側ＵＥ識別子が、対応するＭＣＩＤサービスに加入していることを示しているかどうかを判別するようにさらに構成されている。もし前記発呼側ＵＥ識別子が、対応するＭＣＩＤサービスに加入していることを示している場合には、前記ネットワークは、前記発呼側ＵＥがＭＣＩＤサービス加入者であると判定する。さらに、前記ネットワークは、ＵＥ識別子とＭＲＢＴサービスの加入状態との間の格納された関係に従って、着呼側ＵがＭＲＢＴサービスに加入済みかどうかを判別し、もし着呼側ＵＥが対応するＭＲＢＴサービスに加入していた場合には、着呼側ＵＥがＭＲＢＴサービス加入者であると判定するようにさらに構成されている。
【００７４】
もし、前記コールリクエストが、ノーマルメディアリクエストを有している場合には、着呼側ＵＥは、ノーマルメディアネゴシエーションを実行するとともに前記ノーマルメディアリクエストに従って、アンサーメッセージを前記ネットワークへ送信するようにさらに構成されている。前記ネットワークは、アーリーメディアサービス機能のサポートを要求する識別子を、ノーマルメディアリクエストを搬送する前記コールリクエストの"Require"ヘッダーフィールドに追加し、前記コールリクエストを着呼側ＵＥに送信し、そして着呼側ＵＥにより送信されたアンサーメッセージを受信するように構成されている。もし、前記アンサーメッセージが通常の暫定アンサーであるならば、着呼側ＵＥは、ＭＣＩＤアーリーメディアをサポートすると判定される。
【００７５】
前記ネットワークは、ＭＣＩＤアーリーメディアリクエストを着呼側ＵＥに送信し、着呼側ＵＥからＭＣＩＤアーリーメディアアンサー(ＭＣＩＤ Ａｎｓｗｅｒ)を受信するように構成されている。前記着呼側ＵＥは、それ自身の機能に従って、ＭＣＩＤアーリーメディアとネゴシエーションし、もし前記ネゴシエーションが成功したならば、ＭＣＩＤアンサーを前記ネットワークに送信するように構成されている。
【００７６】
前記ネットワークは、ＭＲＢＴアーリーメディアリクエストを発呼側ＵＥに送信し、発呼側ＵＥからＭＲＢＴアンサーを受信するように構成されている。前記発呼側ＵＥは、それ自身の機能に従って、ＭＲＢＴアーリーメディアとネゴシエーションし、もし前記ネゴシエーションが成功したならば、ＭＲＢＴアンサーを前記ネットワークに送信するように構成されている前記するように構成されている。
【００７７】
上述した第３の実施形態における方法およびシステムに基づき、この実施形態は、ＭＣＩＤサービスの実施に基づくＭＲＢＴサービスを実施するための装置をさらに提供する。図９に示されているように、前記装置は、図６に基づき実施され、受信ユニット５１，第１ネゴシエーションユニット５２，および第１再生ユニット５３を具備する。前記受信ユニット５１は、発呼側ＵＥからコールリクエストを受信するように構成されている。前記コールリクエストは、発呼側ＵＥ識別子および着呼側ＵＥ識別子を搬送する。前記第１ネゴシエーションユニット５２は、発呼側ＵＥ識別子に従って、前記発呼側ＵＥがＭＣＩＤサービス加入者であると判定し、着呼側ＵＥ識別子に従って、着呼側ＵＥがＭＣＩＤアーリーメディアをサポートすると判定し、ＭＣＩＤアーリーメディアと着呼側ＵＥとをネゴシエーションするように構成されている。前記第１再生ユニット５３は、もし前記ネゴシエーションが成功した場合には、ＭＣＩＤを着呼側ＵＥに再生するように構成されている。
【００７８】
もし、前記コールリクエストが、発呼側ＵＥのアーリーセッション機能識別子および１００ｒｅｌ機能識別子をさらに搬送するならば、前記装置は、着呼側ＵＥ識別子に従って、着呼側ＵＥがＭＲＢＴサービス加入者であると判定し、発呼側ＵＥのアーリーセッション機能識別子および高信頼性応答機能識別子に従って、発呼側ＵＥは、ＭＲＢＴアーリーメディアをサポートすると判定し、その後、ＭＲＢＴアーリーメディアと発呼側ＵＥとをネゴシエーションするように構成されている第２ネゴシエーションユニット５４と、もし前記ネゴシエーションが成功したならば、ＭＲＢＴを発呼側ＵＥに再生するように構成されている第２再生ユニット５５をさらに具備する。
【００７９】
前記コールリクエストは、ノーマルメディアリクエストを搬送する。前記第１ネゴシエーションユニット５２は、ＵＥ識別子とＭＣＩＤサービスの加入状態との間の格納された関係に従って、発呼側ＵＥがＭＣＩＤサービスに加入済みかどうかを判別し、もし発呼側ＵＥがＭＣＩＤサービスに加入済みであるならば、発呼側ＵＥは、ＭＣＩＤサービス加入者であると判定するように構成されている第１加入者判定ユニット６１と、アーリーメディアサービス機能のサポートを要求する識別子を、ノーマルメディアリクエストを搬送するコールリクエストの"Require"ヘッダーフィールドに追加し、コールリクエストを着呼側ＵＥに送信し、着呼側ＵＥからアンサーメッセージを受信し、そしてもし前記着呼側ＵＥが通常の暫定アンサーを返信したならば、着呼側ＵＥは、ＭＣＩＤアーリーメディアをサポートすると判定するように構成されている第１サービス判定ユニット６２と、ＭＣＩＤアーリーメディアと着呼側ＵＥとをネゴシエーションするように構成されている第１オペレーティングユニット６３と、を具備する。
【００８０】
前記第１オペレーティングユニット６３は、ＭＣＩＤアーリーメディアリクエストを着呼側ＵＥに送信するように構成されている第２送信ユニット７１と、着呼側ＵＥにより送信されたＭＣＩＤアンサーを受信するように構成されている第２受信ユニット７２と、を具備する。
【００８１】
第２ネゴシエーションユニット５４は、ＵＥ識別子とＭＲＢＴサービス加入状態との間の格納された関係に従って、着呼側ＵＥが、ＭＲＢＴサービスに加入しているかどうかを判別し、もし着呼側ＵＥがＭＲＢＴサービスに加入済みであるならば、着呼側ＵＥはＭＲＢＴサービス加入者であると判定するように構成されている、第２加入者判定ユニット６４と、発呼側ＵＥのアーリーセッション機能識別子および高信頼性応答機能識別子に従って、発呼側ＵＥは、ＭＲＢＴアーリーメディアをサポートすると判定するように構成されている第２サービス判定ユニット６５と、ＭＲＢＴアーリーメディアと発呼側ＵＥとをネゴシエーションするように構成されている第２オペレーティングユニット６６と、を具備する。
【００８２】
前記第２オペレーティングユニット６６は、ＭＲＢＴアーリーメディアリクエストを発呼側ＵＥに送信するように構成されている第３送信ユニット７３と、発呼側ＵＥにより送信されたＭＲＢＴアンサーを受信するように構成されている第３受信ユニット７４と、を具備する。
【００８３】
前述の実施形態の全部又は一部のステップは、プログラムにより指示されるハードウェアを通じて実施されうることは、当業者にとり理解しうる。それらのプログラムは、コンピュータ（すなわち、パーソナルコンピュータ、サーバ、ネットワークデバイスなど）により読取可能なストレージメディア（ＲＯＭ／ＲＡＭ，磁気ディスク，コンパクトディスクなど）に格納されうる。
【００８４】
本発明の実施形態における方法およびシステムを介し、アーリーメディアに基づくＭＲＢＴサービスおよびＭＣＩＤサービスを実施するための方法が、ユーザがＩＭＳにおいてＭＲＢＴサービスおよびＭＣＩＤサービスを適応できるように提供され、ＩＭＳにおいてパワフルなマルチメディア機能を得るとともに、よりよいエクスペリエンスを得る。
【００８５】
本発明をいくつかの例示的な実施形態を通じて説明してきたが、本発明は、それらの実施形態に限定されるわけでない。当業者が本発明の精神および範囲から逸脱することなく種々の変形および変更を加えうることは明白である。本発明は、これらの変形および変更をカバーするとともに、以下の特許請求の範囲又はその均等により定められる範囲で保護される。
【符号の説明】
【００８６】
１１  ＭＲＢＴコール受信ユニット
１２  ＭＲＢＴネゴシエーションユニット
１３  ＭＲＢＴ再生ユニット
２１  ＭＲＢＴ加入者判定ユニット
２２  ＭＲＢＴサービス判定ユニット
２３  ＭＲＢＴオペレーティングユニット
２４  第１送信ユニット
２５  第１受信ユニット
３１  受信ユニット
３２  第１ネゴシエーションユニット
３３  第１再生ユニット
４１  第１加入者判定ユニット
４２  第１サービス判定ユニット
４３  第１オペレーティングユニット
４４  第２送信ユニット
５１  受信ユニット
５２  第１ネゴシエーションユニット
５３  第１再生ユニット
５４  第２ネゴシエーションユニット
６１  第１加入者判定ユニット
６２  第１サービス判定ユニット
６３  第１オペレーティングユニット
６４  第２加入者判定ユニット
６５  第２サービス判定ユニット
６６  第２オペレーティングユニット
７１  第２送信ユニット
７２  第２受信ユニット
７３  第３送信ユニット
７４  第３受信ユニット
【図１】
2010521110.tif 000003
【図２】
2010521110.tif 000004
【図３】
2010521110.tif 000005
【図４】
2010521110.tif 000006
【図５】
2010521110.tif 000007
【図６】
2010521110.tif 000008
【図７】
2010521110.tif 000009
【図８】
2010521110.tif 000010
【図９】
2010521110.tif 000011
【手続補正書】
【提出日】平成21年9月17日(2009.9.17)
【手続補正１】
【補正対象書類名】明細書
【補正対象項目名】０００１
【補正方法】変更
【補正の内容】
【０００１】
本発明は、通信技術に関する。より詳しくは、マルチメディアリングバックトーン（ＭＲＢＴ）サービスおよびマルチメディアコーラーアイデンティフィケーション（ＭＣＩＤ）サービスに関する。
この出願は、２００８年２月２９日に出願した国際特許出願PCT/CN2008/070375の続き（continuation）であり、２００７年８月１４日に中国特許庁に出願した中国特許第200710140642.1号および２００７年３月１３日に中国特許庁に出願した中国特許第200710005692.9号の優先権を主張する。これらの内容は、全体が引用により本明細書に組み込まれる。
【手続補正２】
【補正対象書類名】特許請求の範囲
【補正対象項目名】全文
【補正方法】変更
【補正の内容】
【特許請求の範囲】
【請求項１】
マルチメディアリングバックトーン（ＭＲＢＴ）サービスを実施するための方法であって、
発呼側ユーザ装置（ＵＥ）からコールリクエストを受信するステップと、
着呼側ＵＥ識別子に従って、着呼側ＵＥがＭＲＢＴサービス加入者であると判定するステップと、
前記発呼側ＵＥのアーリーセッション機能識別子および高信頼性応答機能識別子に従って、前記発呼側ＵＥがＭＲＢＴアーリーメディアをサポートすると判定するステップと、
前記ＭＲＢＴアーリーメディアと前記発呼側ＵＥとのネゴシエーションをするステップと、
前記ネゴシエーションが成功後、ＭＲＢＴを前記発呼側ＵＥに再生するステップと、を具備し、
前記コールリクエストは、前記着呼側ＵＥ識別子ならびに前記発呼側ＵＥのアーリーセッションサポート機能識別子および高信頼性応答機能識別子を搬送することを特徴とするマルチメディアリングバックトーンサービスを実施するための方法。
【請求項２】
前記着呼側ＵＥがＭＲＢＴサービス加入者であると判定するステップの処理は、
前記ＵＥ識別子と前記ＭＲＢＴサービスとの加入関係に従って、対応するＭＲＢＴサービスへの加入を、着呼側ＵＥ識別子が示しているかどうかを判別するステップと、
もし、前記着呼側ＵＥ識別子が、対応するＭＲＢＴサービスへの加入を示しているならば、着呼側ＵＥがＭＲＢＴサービス加入者であると判定するステップと、
を具備することを特徴とする請求項１に記載の方法。
【請求項３】
ＭＲＢＴアーリーメディアと前記発呼側ＵＥとのネゴシエーションするステップの処理は、
ＭＲＢＴアーリーメディアリクエストを前記発呼側ＵＥに送信するステップと、
前記発呼側ＵＥにより、前記ＭＲＢＴアーリーメディアとネゴシエーションするステップと、
もし、前記ネゴシエーションが成功したならば、ＭＲＢＴアーリーメディアアンサー（ＭＲＢＴ_Ａｎｓｗｅｒ）を返信するステップと、
を具備することを特徴とする請求項１に記載の方法。
【請求項４】
ＭＲＢＴアプリケーションサーバ（ＭＲＢＴ ＡＳ）は、インバイトメッセージをＭＲＢＴマルチメディアリソースサーバ（ＭＲＢＴ ＭＲＳ）に、ＩＰマルチメディアサブシステム（ＩＭＳ）コアネットワークを介して送信し、
前記ＭＲＢＴ ＭＲＳは、前記ＭＲＢＴアーリーメディアリクエストを前記ＭＲＢＴ ＡＳに、前記ＩＭＳコアネットワークを介して送信することを特徴とする請求項１に記載の方法。
【請求項５】
マルチメディアリングバックトーン（ＭＲＢＴ）サービスを実施するための装置であって、
発呼側ユーザ装置（ＵＥ）からコールリクエストを受信するように構成されているＭＲＢＴコール受信ユニットと、
着呼側ＵＥ識別子に従って、着呼側ＵＥがＭＲＢＴサービス加入者であると判定し、前記発呼側ＵＥの前記アーリーセッション機能識別子および高信頼性応答機能識別子に従って、発呼側ＵＥがＭＲＢＴアーリーメディアをサポートすると判定し、前記ＭＲＢＴアーリーメディアと前記発呼側ＵＥとをネゴシエーションし、ネゴシエーションが成功後、ＭＲＢＴの再生を通知するノーティフィケーションシグナルを送信するように構成されているＭＲＢＴネゴシエーションユニットと、を具備し、
前記コールリクエストは、前記着呼側ＵＥ識別子ならびに前記発呼側ＵＥのアーリーセッションサポート（Ｅａｒｌｙ−Ｓｅｓｓｉｏｎ）機能識別子および高信頼性応答機能識別子を搬送することを特徴とするマルチメディアリングバックトーンサービスを実施するための装置。
【請求項６】
前記ＭＲＢＴネゴシエーションユニットは、
前記ＵＥ識別子と前記ＭＲＢＴサービスとの間の対応する加入関係に従って、前記着呼側ＵＥ識別子が対応するＭＲＢＴサービスへの加入を示しているかどうかを判別し、もし前記着呼側ＵＥ識別子が、対応するＭＲＢＴサービスへの加入を示している場合には、前記着呼側ＵＥは、ＭＲＢＴサービス加入者であると判定するように構成されているＭＲＢＴ加入者判定ユニットと、
前記発呼側ＵＥのアーリーセッション機能識別子および高信頼性応答機能識別子に従って、前記発呼側ＵＥがＭＲＢＴアーリーメディアをサポートすると判定するように構成されているＭＲＢＴサービス判定ユニットと、
前記ＭＲＢＴアーリーメディアと前記発呼側ＵＥとのネゴシエーションをするように構成されているＭＲＢＴオペレーティングユニットと、
を具備することを特徴とする請求項５に記載の機器。
【請求項７】
前記ＭＲＢＴオペレーティングユニットは、
ＭＲＢＴアーリーメディアリクエストを前記発呼側ＵＥに送信するように構成されている第１送信ユニットと、
前記発呼側ＵＥにより送信されたＭＲＢＴアーリーメディアアンサー（ＭＲＢＴ Ａｎｓｗｅｒ）を受信するように構成されている第１受信ユニットと、
を具備することを特徴とする請求項６に記載の機器。
【請求項８】
マルチメディアコーラーアイデンティフィケーション（ＭＣＩＤ）サービスを実施するための方法であって、
発呼側ユーザ装置（ＵＥ）からのコールリクエストを受信するステップと、
発呼側ＵＥ識別子に従って、前記発呼側ＵＥがＭＣＩＤサービス加入者であると判定するステップと、
前記着呼側ＵＥ識別子に従って、着呼側ＵＥがＭＣＩＤアーリーメディアをサポートすると判定するステップと、
前記ＭＣＩＤアーリーメディアと着呼側ＵＥとをネゴシエーションするステップと、
ネゴシエーションの成功後、ＭＣＩＤを前記着呼側ＵＥに再生するステップと、
を具備し、
前記コールリクエストは、前記発呼側ＵＥ識別子および前記着呼側ＵＥ識別子を搬送することを特徴とするマルチメディアコーラーアイデンティフィケーション（ＭＣＩＤ）サービスを実施するための方法。
【請求項９】
前記コールリクエストは、ノーマルメディアリクエストを搬送し、前記着呼側ＵＥ識別子に従って、前記着呼側ＵＥは前記ＭＣＩＤアーリーメディアをサポートすると判定するステップの処理は、
前記コールリクエストを前記着呼側ＵＥに送信するステップと、
アーリーメディアサービス機能のサポートを要求する識別子を前記コールリクエストに追加するステップと、
もし、前記着呼側ＵＥが前記アーリーメディアサービス機能をサポートしているならば、前記着呼側ＵＥにより、前記ノーマルメディアリクエストに従ってノーマルメディアをネゴシエーションするステップと、
ネゴシエーション結果を通常の暫定アンサーメッセージを介してネットワークに返信するステップと、
前記通常の暫定アンサーメッセージを受信後、前記着呼側ＵＥは前記ＭＣＩＤアーリーメディアをサポートすると判定するステップと、
を具備することを特徴とする請求項８に記載の方法。
【請求項１０】
前記ＭＣＩＤアーリーメディアと前記着呼側ＵＥとのネゴシエーションをするステップの処理は、
前記ＭＣＩＤアーリーメディアリクエストを前記着呼側ＵＥに送信するステップと、
前記着呼側ＵＥにより、それ自身の機能に従って前記ＭＣＩＤアーリーメディアをネゴシエーションするステップと、
もし前記ネゴシエーションが成功したならば、ＭＣＩＤアーリーメディアアンサー（ＭＣＩＤ Ａｎｓｗｅｒ）を返信するステップと、
を具備することを特徴とする請求項８に記載の方法。
【請求項１１】
着呼側ＵＥが前記ＭＣＩＤアーリーメディアとネゴシエーションする前に、前記方法は、
ＭＣＩＤアプリケーションサーバ（ＭＣＩＤ ＡＳ）により、インバイトメッセージを、ＭＣＩＤマルチメディアリソースサーバ（ＭＣＩＤ ＭＲＳ）に、ＩＰマルチメディアサブシステム（ＩＭＳ）コアネットワークを介して送信するステップと、
前記ＭＣＩＤ ＭＲＳにより前記ＭＣＩＤアーリーメディアリクエストを、前記ＭＣＩＤ ＡＳに、前記ＩＭＳコアネットワークを介して送信するステップと、
を具備することを特徴とする請求項１０に記載の方法。
【請求項１２】
ネゴシエーションの成功後、前記ＭＣＩＤを前記着呼側ＵＥに再生する前に、前記方法は、
前記ＭＣＩＤ ＡＳにより、前記ＭＣＩＤ ＭＲＳに前記ＭＣＩＤを前記着呼側ＵＥに再生するように指示するノーティフィケーションシグナルを前記ＭＣＩＤ ＭＲＳに送信するステップを具備することを特徴とする請求項１１に記載の方法。
【請求項１３】
前記コールリクエストは、前記発呼側ＵＥのアーリーセッションサポート（Ｅａｒｌｙ−Ｓｅｓｓｉｏｎ）機能識別子および高信頼性応答機能識別子をさらに具備し、
前記方法は、
前記着呼側ＵＥ識別子に従って前記着呼側ＵＥがＭＲＢＴサービス加入者であると判定するステップと、
前記発呼側ＵＥの前記アーリーセッション機能識別子および高信頼性応答機能識別子に従って、前記発呼側ＵＥがＭＲＢＴアーリーメディアをサポートすると判定するステップと、
前記ＭＲＢＴアーリーメディアと前記発呼側ＵＥとをネゴシエーションするステップと、
ネゴシエーションの成功後、ＭＲＢＴを前記発呼側ＵＥに再生するステップと、
を具備することを特徴とする請求項１２に記載の方法。
【請求項１４】
前記着呼側ＵＥがＭＲＢＴサービス加入者であると判定するステップの処理は、
前記ＵＥ識別子と前記ＭＲＢＴサービスの間の対応する加入関係に従って、着呼側ＵＥが対応するＭＲＢＴサービスに加入済みであるかどうか判別するステップと
もし前記着呼側ＵＥが対応するＭＲＢＴサービスに加入済みであるならば、前記着呼側ＵＥがＭＲＢＴサービス加入者であると判定するステップと、
を具備することを特徴とする請求項１３に記載の方法。
【請求項１５】
ＭＲＢＴアーリーメディアと発呼側ＵＥとのネゴシエーションするステップの処理は、
ＭＲＢＴアーリーメディアリクエストを前記発呼側ＵＥに送信するステップと、
前記発呼側ＵＥにより、それ自身の機能に従って前記ＭＲＢＴアーリーメディアとネゴシエーションするステップと、
もしネゴシエーションが成功したならば、ＭＲＢＴアーリーメディアアンサー（ＭＲＢＴ Ａｎｓｗｅｒ）を返信するステップと、
を具備することを特徴とする請求項１３に記載の方法。
【請求項１６】
マルチメディアコーラーアイデンティフィケーション（ＭＣＩＤ）サービスを実施するための装置であって、
発呼側ユーザ装置からのコールリクエストを受信するように構成されている受信ユニットと、
発呼側ＵＥ識別子に従って、前記発呼側ＵＥがＭＣＩＤサービス加入者であると判定し、前記着呼側ＵＥ識別子に従って、着呼側ＵＥがＭＣＩＤアーリーメディアをサポートすると判定し、前記ＭＣＩＤアーリーメディアと前記着呼側ＵＥとをネゴシエーションし、ネゴシエーションの成功後、ＭＣＩＤの再生を通知するために第１ノーティフィケーションシグナルを再生するように構成されている第１ネゴシエーションユニットと、
を具備し、
前記コールリクエストは、前記発呼側ＵＥ識別子および前記着呼側ＵＥ識別子を搬送することを特徴とするマルチメディアコーラーアイデンティフィケーションサービスを実施するための装置。
【請求項１７】
前記着呼側ＵＥ識別子に従って、前記着呼側ＵＥがＭＲＢＴサービス加入者であると判定し、前記発呼側ＵＥのアーリーセッションサポート（Ｅａｒｌｙ Ｓｅｓｓｉｏｎ）機能識別子および高信頼性応答機能識別子に従って、前記発呼側ＵＥがＭＲＢＴアーリーメディアをサポートすると判定し、前記ＭＲＢＴアーリーメディアと前記発呼側ＵＥとをネゴシエーションし、ネゴシエーションの成功後、ＭＲＢＴの再生を通知するために、第２ノーティフィケーションシグナルを送信するように構成されている第２ネゴシエーションユニットと、
前記第２ノーティフィケーションシグナルを受信し、前記ＭＲＢＴを前記発呼側ＵＥに再生するように構成されている第２再生ユニットと、
をさらに具備することを特徴とする請求項１６に記載の機器。
【請求項１８】
前記第１ネゴシエーションユニットは、
前記ＵＥ識別子と前記ＭＣＩＤサービスの間の対応する加入関係に従って、前記発呼側ＵＥがＭＣＩＤサービスに加入済みかどうか判別し、もし前記発呼側ＵＥが前記ＭＣＩＤサービスに加入済みならば、前記発呼側ＵＥがＭＣＩＤサービス加入者であると判定するように構成されている第１加入者判定ユニットと、
ノーマルメディアリクエストを搬送するコールリクエストに、アーリーメディアサービス機能のサポートを要求する識別子を追加し、前記コールリクエストを着呼側ＵＥに送信し、前記着呼側ＵＥからアンサーメッセージを受信し、もし着呼側ＵＥが通常の暫定アンサーを返信したならば、前記着呼側ＵＥはＭＣＩＤアーリーメディアをサポートすると判定するように構成されている第１サービス判定ユニットと、
前記ＭＣＩＤアーリーメディアと前記着呼側ＵＥとをネゴシエートするように構成されている第１オペレーティングユニットと、
を具備することを特徴とする請求項１６に記載の機器。
【請求項１９】
前記第１オペレーティングユニットは、
ＭＣＩＤアーリーメディアリクエストを前記着呼側ＵＥに送信するように構成されている第２送信ユニットと、
前記着呼側ＵＥにより送信されたＭＣＩＤアーリーメディアアンサー（ＭＣＩＤ Ａｎｓｗｅｒ）を受信するように構成されている第２受信ユニットと、
を具備することを特徴とする請求項１８に記載の機器。
【請求項２０】
前記第２ネゴシエーションユニットは、
前記ＵＥ識別子と前記ＭＲＢＴサービスとの間の対応する加入関係に従って、前記着呼側ＵＥがＭＲＢＴサービスに加入済みかどうかを判別し、もし前記着呼側ＵＥが前記ＭＲＢＴサービスに加入済みであるならば、前記着呼側ＵＥがＭＲＢＴサービス加入者であると判定するように構成されている第２加入者判定ユニットと、
前記発呼側ＵＥの前記アーリーセッション機能識別子および高信頼性応答機能識別子に従って、発呼側ＵＥが前記ＭＲＢＴアーリーメディアをサポートすると判定するように構成されている第２ＭＲＢＴサービス判定ユニットと、
前記ＭＲＢＴアーリーメディアと前記発呼側ＵＥとをネゴシエーションするように構成されている第２オペレーティングユニットと、
を具備することを特徴とする請求項１７に記載の機器。
【国際調査報告】
2010521110.tif 000012
2010521110.tif 000013
2010521110.tif 000014
2010521110.tif 000015